(57)【要約】【課題】商品を台紙に固定した状態で外部から視認可能に包装する包装具で、加熱装置等の包装のための他の装置が必要なく、多様な形状・大きさの被包装物に対応可能で、かつ、台紙を縦向きにして使用しても被包装物が脱落するおそれがない包装具を提供する。【解決手段】包装具本体５は、中央部１０と、右折曲げ片部２０と、左折曲げ片部３０と、右下折返し片部４０と、左下折返し片部４２と、中下折返し片部５０と、上折返し片部７０とを有し、フィルム９０は、中央部１０を跨いだ状態で右折曲げ片部２０と左折曲げ片部３０に接着されている。被包装物をフィルム９０と中央部１０間に配置した状態で、上折返し片部７０を正面側に折り返し、右折曲げ片部２０と右構成部５６と右構成部７６を背面側に折り曲げ、左折曲げ片部３０と左構成部６０と左構成部８０を背面側に折り曲げて、差込み片部３８を被差込み部Ｋ１６に差し込むことにより、被包装物が包装される【選択図】図１
2020109013.tif 000002
【特許請求の範囲】
【請求項１】
被包装物を包装する包装具であって、
シート状のブランクにより形成された包装具本体（５）と、包装具本体に接着されたシート状部材（９０）とを有し、
包装具本体は、
上下方向に形成された互いに平行な右辺及び左辺と、上下方向に対して直角の方向である左右方向に形成された互いに平行な上辺及び下辺とを有する中央部（１０）と、
中央部の右辺から第１折れ線（Ｃ１）を介して連設された右折曲げ片部で、第１折れ線との間の距離が上側にいくに従い長くなる傾斜辺（２０ｃ）を下側に有する右折曲げ片部（２０）と、
中央部の左辺から第２折れ線（Ｃ２）を介して連設された左折曲げ片部で、第２折れ線との間の距離が上側にいくに従い長くなる傾斜辺（３２ｃ）を下側に有する左折曲げ片部（３０）と、
右折曲げ片部の傾斜辺から第３折れ線（Ｃ５）を介して連設された右下折返し片部（４０）と、
左折曲げ片部の傾斜辺から第４折れ線（Ｃ６）を介して連設された左下折返し片部（４２）と、
中央部の下辺から第５折れ線（Ｃ３）を介して連設された中下折返し片部で、中央部の下辺から第５折れ線を介して連設された第１中構成部（５２）と、右下折返し片部に接着された第１右構成部（５６）と、左下折返し片部に接着された第１左構成部（６０）とを有する中下折返し片部（５０）と、
中央部の上辺から第６折れ線（Ｃ４）を介して連設され、右折曲げ片部の上辺から第７折れ線（Ｃ１２）を介して連設され、左折曲げ片部の上辺から第８折れ線（Ｃ１３）を介して連設された上折返し片部で、中央部から第６折れ線を介して連設された第２中構成部（７２）と、右折曲げ片部から第７折れ線を介して連設された第２右構成部（７６）と、左折曲げ片部から第８折れ線を介して連設された第２左構成部（８０）とを有する上折返し片部（７０）と、を有し、第６折れ線と第７折れ線と第８折れ線は、同一直線上に設けられ、
中下折返し片部が中央部に対して第５折れ線を介して正面側に折り返され、右下折返し片部が右折曲げ片部に対して第３折れ線を介して正面側に折り返され、左下折返し片部が左折曲げ片部に対して第４折れ線を介して正面側に折り返された状態で、第１右構成部が、右下折返し片部の外側と内側のいずれかの面に接着され、第１左構成部が、左下折返し片部の外側と内側のいずれかの面に接着され、
右折曲げ片部と左折曲げ片部の一方は、中央部とは反対側に設けられた差込み片部（３８）を有し、右折曲げ片部と左折曲げ片部の他方には、差込み片部を差し込むための被差込み部（Ｋ１６）が設けられ、
シート状部材は、中央部を跨いだ状態で、右折曲げ片部の正面側の面と左折曲げ片部の正面側の面に接着され、
シート状部材における中央部に重なる領域の下辺と第５折れ線間の長さ（Ｌ９０ａ）は、第１中構成部の第５折れ線から第５折れ線と反対側の上辺間の長さ（Ｌ５２）よりも短く形成され、
シート状部材における中央部に重なる領域の上辺と第６折れ線間の長さ（Ｌ９０ｃ）は、第２中構成部の第６折れ線から第６折れ線と反対側の上辺間の長さ（Ｌ７２）よりも短く形成され、
シート状部材は、引っ張りにより伸び変形し、透光性を有する素材により形成され、
被包装物をシート状部材と中央部間に配置した状態で、上折返し片部を中央部と右折曲げ片部と左折曲げ片部に対して正面側に折り返し、上折返し片部を折り返した状態で、右折曲げ片部を中央部に対して背面側に折り曲げることにより、第１右構成部が第１中構成部との間の折れ線である下右折れ線（Ｃ８）を介して背面側に折り曲げられるとともに、第２右構成部が第２中構成部との間の折れ線である上右折れ線（Ｃ１０）を介して背面側に折り曲げられ、左折曲げ片部を中央部に対して背面側に折り曲げることにより、第１左構成部が第１中構成部との間の折れ線である下左折れ線（Ｃ９）を介して背面側折り曲げられるとともに、第２左構成部が第２中構成部との間の折れ線である上左折れ線（Ｃ１１）を介して背面側に折り曲げられ、差込み片部を被差込み部に差し込むことにより、被包装物が包装され、被包装物が包装された状態では、第１中構成部がシート状部材の下端領域に重なり、第２中構成部がシート状部材の上端領域に重なることを特徴とする包装具。
【請求項２】
左折曲げ片部と右折曲げ片部の一方である特定折曲げ片部（３０、３０’）は、中央部との間の折れ線である第１折れ線又は第２折れ線を介して中央部から連設された折曲げ片部本体（３２、３２’）と、折曲げ片部本体の中央部とは反対側に連設された突状部（３４、３４’）とを有し、
該特定折曲げ片部の傾斜辺は、折曲げ片部本体に設けられ、左下折返し片部と右下折返し片部の２つの折返し片部における特定折曲げ片部から連設された折返し片部と、第２左構成部と第２右構成部の２つの第２構成部における特定折曲げ片部から連設された第２構成部は、折曲げ片部本体から連設され、
差込み片部は、突状部の折曲げ片部本体とは反対側の先端に設けられていることを特徴とする請求項１に記載の包装具。
【請求項３】
被包装物を包装する包装具であって、
シート状のブランクにより形成された包装具本体（１０５）と、包装具本体に接着されたシート状部材（１９０）とを有し、
包装具本体は、
上下方向に形成された互いに平行な右辺及び左辺と、上下方向に対して直角の方向である左右方向に形成された互いに平行な上辺及び下辺とを有する中央部（１１０）と、
中央部の右辺から第１折れ線（Ｃ２１）を介して連設された右折曲げ片部（１２０）と、
中央部の左辺から第２折れ線（Ｃ２２）を介して連設された左折曲げ片部（１３０）と、
中央部の下辺から第３折れ線（Ｃ２３）を介して連設された下折返し片部で、中央部の下辺から第３折れ線を介して連設された第１中構成部（１５２）と、右折曲げ片部に接着された第１右構成部（１５６）と、左折曲げ片部に接着された第１左構成部（１６０）とを有する下折返し片部（１５０）と、
中央部の上辺から第４折れ線（Ｃ２４）を介して連設され、右折曲げ片部の上辺から第５折れ線（Ｃ３２）を介して連設され、左折曲げ片部の上辺から第６折れ線（Ｃ３３）を介して連設された上折返し片部で、中央部から第４折れ線を介して連設された第２中構成部（１７２）と、右折曲げ片部から第５折れ線を介して連設された第２右構成部（１７６）と、左折曲げ片部から第６折れ線を介して連設された第２左構成部（１８０）とを有する上折返し片部（１７０）と、を有し、第４折れ線と第５折れ線と第６折れ線は、同一直線上に設けられ、
中下折返し片部が中央部に対して第３折れ線を介して正面側に折り返された状態で、第１右構成部が、右折曲げ片部の正面側の面に接着され、第１左構成部が、左折曲げ片部の正面側の面に接着され、
右折曲げ片部と左折曲げ片部の一方は、中央部とは反対側に設けられた差込み片部（１３８）を有し、右折曲げ片部と左折曲げ片部の他方には、差込み片部を差し込むための被差込み部（Ｋ１１６）が設けられ、
シート状部材は、中央部を跨いだ状態で、右折曲げ片部の正面側の面と左折曲げ片部の正面側の面に接着され、
シート状部材における中央部に重なる領域の下辺と第３折れ線間の長さ（Ｌ１９０ａ）は、第１中構成部の第３折れ線から第３折れ線と反対側の上辺間の長さ（Ｌ１５２）よりも短く形成され、
シート状部材における中央部に重なる領域の上辺と第４折れ線間の長さ（Ｌ１９０ｃ）は、第２中構成部の第４折れ線から第４折れ線と反対側の上辺間の長さ（Ｌ１７２）よりも短く形成され、
シート状部材は、引っ張りにより伸び変形し、透光性を有する素材により形成され、
被包装物をシート状部材と中央部間に配置した状態で、上折返し片部を中央部と右折曲げ片部と左折曲げ片部に対して正面側に折り返し、上折返し片部を折り返した状態で、右折曲げ片部を中央部に対して背面側に折り曲げることにより、第１右構成部が第１中構成部との間の折れ線である下右折れ線（Ｃ２８）を介して背面側に折り曲げられるとともに、第２右構成部が第２中構成部との間の折れ線である上右折れ線（Ｃ３０）を介して背面側に折り曲げられ、左折曲げ片部を中央部に対して背面側に折り曲げることにより、第１左構成部が第１中構成部との間の折れ線である下左折れ線（Ｃ２９）を介して背面側に折り曲げられるとともに、第２左構成部が第２中構成部との間の折れ線である上左折れ線（Ｃ３１）を介して背面側に折り曲げられ、差込み片部を被差込み部に差し込むことにより、被包装物が包装され、被包装物が包装された状態では、第１中構成部がシート状部材の下端領域に重なり、第２中構成部がシート状部材の上端領域に重なることを特徴とする包装具。
【請求項４】
差込み片部を被差込み部に差し込んだ状態では、中央部と右折曲げ片部と左折曲げ片部とからなる本体部が、水平な設置面に中央部の下辺を下側にして自立可能な略筒状を呈することを特徴とする請求項３に記載の包装具。
【請求項５】
左折曲げ片部と右折曲げ片部の一方である特定折曲げ片部（１３０、１３０’）は、中央部との間の折れ線である第１折れ線又は第２折れ線を介して中央部から連設された折曲げ片部本体（１３２、１３２’）と、折曲げ片部本体の中央部とは反対側に連設された突状部（１３４、１３４’）とを有し、
差込み片部は、突状部の折曲げ片部本体とは反対側の先端に設けられていることを特徴とする請求項３又は４に記載の包装具。
【請求項６】
右折曲げ片部は、中央部から第１折れ線を介して連設されるとともに、第２右構成部から第５折れ線を介して連設された右折曲げ片部本体（１２１）と、右折曲げ片部本体から第７折れ線（Ｃ２５）を介して連設された延設部（１２２）とを有し、被差込み部は、右折曲げ片部本体と延設部の境界に沿って設けられ、
左折曲げ片部は、中央部から第２折れ線を介して連設された左折曲げ片部本体（１３２）と、左折曲げ片部本体の中央部とは反対側に第８折れ線（Ｃ２６）を介して連設された突状部（１３４）とを有し、
差込み片部は、突状部の左折曲げ片部本体とは反対側の先端に設けられ、差込み片部は、突状部における差込み片部以外の領域である連結部（１３６）から第９折れ線（Ｃ２７）を介して連設されており、
差込み片部を被差込み部に差し込んだ状態で、延設部が右折曲げ片部本体に対して折れ曲がるとともに、連結部が左折曲げ片部本体に対して折れ曲がり、差込み片部が連結部に対して折れ曲がり、連結部と延設部が重なることにより、延設部と中央部間が間隔を有する状態となって、被包装物が包装された状態では、中央部と右折曲げ片部と左折曲げ片部とからなる本体部が、水平な設置面に中央部の下辺を下側にして自立可能な略筒状を呈することを特徴とする請求項３に記載の包装具。
【請求項７】
左折曲げ片部は、中央部から第２折れ線を介して連設されるとともに、第２左構成部から第６折れ線を介して連設された左折曲げ片部本体（１２１’）と、左折曲げ片部本体から第７折れ線（Ｃ２５）を介して連設された延設部（１２２’）を有し、被差込み部は、左折曲げ片部本体と延設部の境界に沿って設けられ、
右折曲げ片部は、中央部から第１折れ線を介して連設された右折曲げ片部本体（１３２’）と、右折曲げ片部本体の中央部とは反対側に第８折れ線（Ｃ２６）を介して連設された突状部（１３４’）とを有し、
差込み片部は、突状部の右折曲げ片部本体とは反対側の先端に設けられ、差込み片部は、突状部における差込み片部以外の領域である連結部（１３６’）から第９折れ線（Ｃ２７）を介して連設されており、
差込み片部を被差込み部に差し込んだ状態で、延設部が左折曲げ片部本体に対して折れ曲がるとともに、連結部が右折曲げ片部本体に対して折れ曲がり、差込み片部が連結部に対して折れ曲がり、連結部と延設部が重なることにより、延設部と中央部間が間隔を有する状態となって、被包装物が包装された状態では、中央部と右折曲げ片部と左折曲げ片部とからなる本体部が、水平な設置面に中央部の下辺を下側にして自立可能な略筒状を呈することを特徴とする請求項３に記載の包装具。
【請求項８】
差込み片部の基端側の両側には、被差込み部に係止するための第１突起（１３８ａ、１３８ｂ）が設けられ、突状部の基端側の両側には、被差込み部に係止するための第２突起（１３６−１、１３６−２）が設けられていることを特徴とする請求項５又は６又は７に記載の包装具。
【請求項９】
第１中構成部には、一対のテーパ状の折曲げ用の罫線が設けられ、該一対の罫線は、第１中構成部の第３折れ線側である下辺側から上辺側に行くに従い、一対の罫線間の長さが短くなるように第１中構成部の下辺に対して傾斜して形成され、
右折曲げ片部と左折曲げ片部を中央部に対して正面側に回動させると、該一対の罫線に沿った折れ線（Ｃ３４、Ｃ３５）が正面側から見て山折りとなって、第１中構成部が折れ曲がることを特徴とする請求項３又は４又は５又は６又は７又は８に記載の包装具。
【請求項１０】
中央部は、中央部におけるシート状部材により被覆された領域に形成された折曲げ片（１１２、１１４、１１６）と、中央部における折曲げ片以外の領域である中央部本体（１１１）とを有し、被包装物をシート状部材と中央部の間に配置する際に、折曲げ片を中央部本体に対してシート状部材側に折り曲げた状態とすることを特徴とする請求項１又は２又は３又は４又は５又は６又は７又は８又は９に記載の包装具。
【請求項１１】
中央部と右折曲げ片部の境界の上端位置には、開口部（Ｋ１２、Ｋ１１２）が設けられ、中央部と左折曲げ片部の境界の上端位置には、開口部（Ｋ１４、Ｋ１１４）が設けられていることを特徴とする請求項１又は２又は３又は４又は５又は６又は７又は８又は９又は１０に記載の包装具。
【発明の詳細な説明】
【技術分野】
【０００１】
本発明は、商品を台紙に固定した状態で外部から視認可能に包装する包装具に関するものである。
【背景技術】
【０００２】
従来より商品を台紙に固定した状態で外部から視認可能に包装する包装具として、特許文献１に記載のシュリンクフィルム付台紙が存在する。
【０００３】
この特許文献１に記載のシュリンクフィルム付台紙においては、台紙の片面に筒状にしたシュリンクフィルムが接着剤で固定されて構成され、被包装物を包装する際には、シュリンクフィルムの筒状の中に被包装物を挿入した後に、被包装物が挿入されたシュリンクフィルム付台紙を加熱してシュリンクフィルムを収縮させることにより、シュリンクフィルムを被包装物に密着させて被包装物を包装する。
【０００４】
また、伸縮性を有するシートの張力を利用して物品を台紙に固定させるものとして、特許文献２に記載の物品輸送用梱包具が存在する。
【０００５】
特許文献２の物品輸送用梱包具においては、ベースボード１と抑えシート２を有し、ベースボード１は、搭載面４と、立上り部分５と、立下がり部分６とを有し、立下がり部分６は、垂直面形成部分７と水平面形成部分８とを有していて、抑えシート２は、両側の水平面形成部分８、８に固定されている。そして、立下がり部分６、６を下向きに折り曲げ、さらに、水平面形成部分８を内側に向けて水平方向に折り曲げることにより、抑えシート２の緊張力により物品が搭載面の定位置に保持される。
【先行技術文献】
【特許文献】
【０００６】
【特許文献１】特開２０１２−１８８１２７号公報
【特許文献２】特開２００４−２７６９５７号公報
【発明の概要】
【発明が解決しようとする課題】
【０００７】
しかし、特許文献１に記載のシュリンクフィルム付台紙においては、被包装物を包装する際にシュリンクフィルムを加熱する必要があり、包装のための装置（つまり、加熱装置）が別途必要になってしまう。
【０００８】
また、シュリンクフィルムを加熱により収縮させて被包装物を包装することから、被包装物の形状・大きさは筒状のシュリンクフィルムの大きさにより制限され、被包装物の多様な形状・大きさには対応できないという問題がある。例えば、シュリンクフィルムの筒状の直径よりもかなり小さい被包装物の場合には、シュリンクフィルムの収縮率によっては、被包装物にシュリンクフィルムを密着させることができない。
【０００９】
また、特許文献２に記載の物品輸送用梱包具は、物品を保持した状態で外箱に収納させるものであり、特に、搭載面４を外箱内で水平方向に配置して使用するものであることから、搭載面４を縦向きにした状態で商品を包装することができない。つまり、抑えシート２は２つの水平面形成部分８に接着されていて、抑えシート２の接着されていない側には抑えシート２と搭載面４の間には隙間が存在するので、縦向きにした状態では、搭載面４と抑えシート２の隙間から物品が脱落するおそれがある。また、物品輸送用梱包具には、立上り部分６があるため搭載面４を縦向きにした使用にはそもそも適していない。
【００１０】
そこで、本発明は、商品を台紙に固定した状態で外部から視認可能に包装する包装具において、加熱装置等の包装のための他の装置が必要なく、多様な形状・大きさの被包装物に対応可能で、かつ、台紙を縦向きにして使用しても被包装物が脱落するおそれがない包装具を提供することを目的とするものである。
【課題を解決するための手段】
【００１１】
本発明は上記問題点を解決するために創作されたものであって、第１には、被包装物を包装する包装具であって、シート状のブランクにより形成された包装具本体（５）と、包装具本体に接着されたシート状部材（９０）とを有し、包装具本体は、上下方向に形成された互いに平行な右辺及び左辺と、上下方向に対して直角の方向である左右方向に形成された互いに平行な上辺及び下辺とを有する中央部（１０）と、中央部の右辺から第１折れ線（Ｃ１）を介して連設された右折曲げ片部で、第１折れ線との間の距離が上側にいくに従い長くなる傾斜辺（２０ｃ）を下側に有する右折曲げ片部（２０）と、中央部の左辺から第２折れ線（Ｃ２）を介して連設された左折曲げ片部で、第２折れ線との間の距離が上側にいくに従い長くなる傾斜辺（３２ｃ）を下側に有する左折曲げ片部（３０）と、右折曲げ片部の傾斜辺から第３折れ線（Ｃ５）を介して連設された右下折返し片部（４０）と、左折曲げ片部の傾斜辺から第４折れ線（Ｃ６）を介して連設された左下折返し片部（４２）と、中央部の下辺から第５折れ線（Ｃ３）を介して連設された中下折返し片部で、中央部の下辺から第５折れ線を介して連設された第１中構成部（５２）と、右下折返し片部に接着された第１右構成部（５６）と、左下折返し片部に接着された第１左構成部（６０）とを有する中下折返し片部（５０）と、中央部の上辺から第６折れ線（Ｃ４）を介して連設され、右折曲げ片部の上辺から第７折れ線（Ｃ１２）を介して連設され、左折曲げ片部の上辺から第８折れ線（Ｃ１３）を介して連設された上折返し片部で、中央部から第６折れ線を介して連設された第２中構成部（７２）と、右折曲げ片部から第７折れ線を介して連設された第２右構成部（７６）と、左折曲げ片部から第８折れ線を介して連設された第２左構成部（８０）とを有する上折返し片部（７０）と、を有し、第６折れ線と第７折れ線と第８折れ線は、同一直線上に設けられ、中下折返し片部が中央部に対して第５折れ線を介して正面側に折り返され、右下折返し片部が右折曲げ片部に対して第３折れ線を介して正面側に折り返され、左下折返し片部が左折曲げ片部に対して第４折れ線を介して正面側に折り返された状態で、第１右構成部が、右下折返し片部の外側と内側のいずれかの面に接着され、第１左構成部が、左下折返し片部の外側と内側のいずれかの面に接着され、右折曲げ片部と左折曲げ片部の一方は、中央部とは反対側に設けられた差込み片部（３８）を有し、右折曲げ片部と左折曲げ片部の他方には、差込み片部を差し込むための被差込み部（Ｋ１６）が設けられ、シート状部材は、中央部を跨いだ状態で、右折曲げ片部の正面側の面と左折曲げ片部の正面側の面に接着され、シート状部材における中央部に重なる領域の下辺と第５折れ線間の長さ（Ｌ９０ａ）は、第１中構成部の第５折れ線から第５折れ線と反対側の上辺間の長さ（Ｌ５２）よりも短く形成され（「シート状部材における中央部に重なる領域の下辺は、第１中構成部の第５折れ線とは反対側の辺部である上辺よりも下側に位置し」としてもよい）、シート状部材における中央部に重なる領域の上辺と第６折れ線間の長さ（Ｌ９０ｃ）は、第２中構成部の第６折れ線から第６折れ線と反対側の上辺間の長さ（Ｌ７２）よりも短く形成され、シート状部材は、引っ張りにより伸び変形し、透光性を有する素材により形成され、被包装物をシート状部材と中央部間に配置した状態で、上折返し片部を中央部と右折曲げ片部と左折曲げ片部に対して正面側に折り返し、上折返し片部を折り返した状態で、右折曲げ片部を中央部に対して背面側に折り曲げることにより、第１右構成部が第１中構成部との間の折れ線である下右折れ線（Ｃ８）を介して背面側に折り曲げられるとともに、第２右構成部が第２中構成部との間の折れ線である上右折れ線（Ｃ１０）を介して背面側に折り曲げられ、左折曲げ片部を中央部に対して背面側に折り曲げることにより、第１左構成部が第１中構成部との間の折れ線である下左折れ線（Ｃ９）を介して背面側折り曲げられるとともに、第２左構成部が第２中構成部との間の折れ線である上左折れ線（Ｃ１１）を介して背面側に折り曲げられ、差込み片部を被差込み部に差し込むことにより、被包装物が包装され、被包装物が包装された状態では、第１中構成部がシート状部材の下端領域に重なり、第２中構成部がシート状部材の上端領域に重なることを特徴とする。
【００１２】
第１の構成においては、被包装物をシート状部材と中央部間に配置した状態で、上折返し片部を正面側に折り返し、上折返し片部を折り返した状態で、右折曲げ片部と第１右構成部と第２右構成部を背面側に折り曲げ、さらに、左折曲げ片部と第１左構成部と第２左構成部を背面側に折り曲げて、差込み片部を被差込み部に差し込むことにより、被包装物が包装されるので、加熱装置等の包装のための他の装置が必要ない。
【００１３】
また、シート状部材と中央部間の隙間に挿入することができる形状・大きさの被包装物であれば、包装することができるので、多様な形状・大きさの被包装物に対応することができる。
【００１４】
また、第１中構成部がシート状部材の下端領域に密着し、第２中構成部がシート状部材の上端領域に密着するので、包装具本体を縦向きとしても被包装物が脱落することがなく、外部から被包装物を取り出すことができないため防犯上も優れている。
【００１５】
なお、上記第１の構成において、シート状部材の下辺と、第１中構成部の第５折れ線と反対側の辺部が、中央部の下辺と平行であり、シート状部材の上辺と、第２中構成部の第６折れ線と反対側の辺部が、中央部の上辺と平行であるものとしてもよい。
【００１６】
また、第２には、上記第１の構成において、左折曲げ片部と右折曲げ片部の一方である特定折曲げ片部（３０、３０’）は、中央部との間の折れ線である第１折れ線又は第２折れ線を介して中央部から連設された折曲げ片部本体（３２、３２’）と、折曲げ片部本体の中央部とは反対側に連設された突状部（３４、３４’）とを有し、該特定折曲げ片部の傾斜辺は、折曲げ片部本体に設けられ、左下折返し片部と右下折返し片部の２つの折返し片部における特定折曲げ片部から連設された折返し片部と、第２左構成部と第２右構成部の２つの第２構成部における特定折曲げ片部から連設された第２構成部は、折曲げ片部本体から連設され、差込み片部は、突状部の折曲げ片部本体とは反対側の先端に設けられていることを特徴とする。
【００１７】
なお、上記第１の構成において、左折曲げ片部は、中央部から第２折れ線を介して連設された折曲げ片部本体（３２）と、折曲げ片部本体の中央部とは反対側に連設された突状部（３４）とを有し、左折曲げ片部の傾斜辺は、折曲げ片部本体に設けられ、左下折返し片部と第２左構成部は、折曲げ片部本体から連設され、差込み片部は、突状部の折曲げ片部本体とは反対側の先端に設けられていることを特徴とするものとしてもよい。
【００１８】
また、上記第１の構成において、右折曲げ片部は、中央部から第１折れ線を介して連設された折曲げ片部本体（３２’）と、折曲げ片部本体の中央部とは反対側に連設された突状部（３４’）とを有し、右折曲げ片部の傾斜辺は、折曲げ片部本体に設けられ、右下折返し片部と第２右構成部は、折曲げ片部本体から連設され、差込み片部は、突状部の折曲げ片部本体とは反対側の先端に設けられていることを特徴とするものとしてもよい。
【００１９】
また、第３には、被包装物を包装する包装具であって、シート状のブランクにより形成された包装具本体（１０５）と、包装具本体に接着されたシート状部材（１９０）とを有し、包装具本体は、上下方向に形成された互いに平行な右辺及び左辺と、上下方向に対して直角の方向である左右方向に形成された互いに平行な上辺及び下辺とを有する中央部（１１０）と、中央部の右辺から第１折れ線（Ｃ２１）を介して連設された右折曲げ片部（１２０）と、中央部の左辺から第２折れ線（Ｃ２２）を介して連設された左折曲げ片部（１３０）と、中央部の下辺から第３折れ線（Ｃ２３）を介して連設された下折返し片部で、中央部の下辺から第３折れ線を介して連設された第１中構成部（１５２）と、右折曲げ片部に接着された第１右構成部（１５６）と、左折曲げ片部に接着された第１左構成部（１６０）とを有する下折返し片部（１５０）と、中央部の上辺から第４折れ線（Ｃ２４）を介して連設され、右折曲げ片部の上辺から第５折れ線（Ｃ３２）を介して連設され、左折曲げ片部の上辺から第６折れ線（Ｃ３３）を介して連設された上折返し片部で、中央部から第４折れ線を介して連設された第２中構成部（１７２）と、右折曲げ片部から第５折れ線を介して連設された第２右構成部（１７６）と、左折曲げ片部から第６折れ線を介して連設された第２左構成部（１８０）とを有する上折返し片部（１７０）と、を有し、第４折れ線と第５折れ線と第６折れ線は、同一直線上に設けられ、中下折返し片部が中央部に対して第３折れ線を介して正面側に折り返された状態で、第１右構成部が、右折曲げ片部の正面側の面に接着され、第１左構成部が、左折曲げ片部の正面側の面に接着され、右折曲げ片部と左折曲げ片部の一方は、中央部とは反対側に設けられた差込み片部（１３８）を有し、右折曲げ片部と左折曲げ片部の他方には、差込み片部を差し込むための被差込み部（Ｋ１１６）が設けられ、シート状部材は、中央部を跨いだ状態で、右折曲げ片部の正面側の面と左折曲げ片部の正面側の面に接着され、シート状部材における中央部に重なる領域の下辺と第３折れ線間の長さ（Ｌ１９０ａ）は、第１中構成部の第３折れ線から第３折れ線と反対側の上辺間の長さ（Ｌ１５２）よりも短く形成され（「シート状部材における中央部に重なる領域の下辺は、第１中構成部の第３折れ線とは反対側の辺部である上辺よりも下側に位置し」としてもよい）、シート状部材における中央部に重なる領域の上辺と第４折れ線間の長さ（Ｌ１９０ｃ）は、第２中構成部の第４折れ線から第４折れ線と反対側の上辺間の長さ（Ｌ１７２）よりも短く形成され、シート状部材は、引っ張りにより伸び変形し、透光性を有する素材により形成され、被包装物をシート状部材と中央部間に配置した状態で、上折返し片部を中央部と右折曲げ片部と左折曲げ片部に対して正面側に折り返し、上折返し片部を折り返した状態で、右折曲げ片部を中央部に対して背面側に折り曲げることにより、第１右構成部が第１中構成部との間の折れ線である下右折れ線（Ｃ２８）を介して背面側に折り曲げられるとともに、第２右構成部が第２中構成部との間の折れ線である上右折れ線（Ｃ３０）を介して背面側に折り曲げられ、左折曲げ片部を中央部に対して背面側に折り曲げることにより、第１左構成部が第１中構成部との間の折れ線である下左折れ線（Ｃ２９）を介して背面側に折り曲げられるとともに、第２左構成部が第２中構成部との間の折れ線である上左折れ線（Ｃ３１）を介して背面側に折り曲げられ、差込み片部を被差込み部に差し込むことにより、被包装物が包装され、被包装物が包装された状態では、第１中構成部がシート状部材の下端領域に重なり、第２中構成部がシート状部材の上端領域に重なることを特徴とする。
【００２０】
第３の構成においては、被包装物をシート状部材と中央部間に配置した状態で、上折返し片部を正面側に折り返し、上折返し片部を折り返した状態で、右折曲げ片部と第１右構成部と第２右構成部を背面側に折り曲げ、さらに、左折曲げ片部と第１左構成部と第２左構成部を背面側に折り曲げて、差込み片部を被差込み部に差し込むことにより、被包装物が包装されるので、加熱装置等の包装のための他の装置が必要ない。
【００２１】
また、シート状部材と中央部間の隙間に挿入することができる形状・大きさの被包装物であれば、包装することができるので、多様な形状・大きさの被包装物に対応することができる。
【００２２】
また、第１中構成部がシート状部材の下端領域に密着し、第２中構成部がシート状部材の上端領域に密着するので、包装具本体を縦向きとしても被包装物が脱落することがなく、外部から被包装物を取り出すことができないため防犯上も優れている。
【００２３】
なお、上記第３の構成において、シート状部材の下辺と、第１中構成部の第５折れ線と反対側の辺部が、中央部の下辺と平行であり、シート状部材の上辺と、第２中構成部の第６折れ線と反対側の辺部が、中央部の上辺と平行であるものとしてもよい。
【００２４】
また、第４には、上記第３の構成において、差込み片部を被差込み部に差し込んだ状態では、中央部と右折曲げ片部と左折曲げ片部とからなる本体部が、水平な設置面に中央部の下辺を下側にして自立可能な略筒状（筒状としてもよい）を呈することを特徴とする。
【００２５】
よって、差込み片部を被差込み部に差し込んだ状態では、本体部が、水平な設置面に自立可能な略筒状を呈するので、包装具を設置面に自立した状態で配置することができる。
【００２６】
なお、上記第４の構成において、本体部が、中央部の下辺と右折曲げ片部の下辺と左折曲げ片部の下辺が該設置面に接した状態で自立可能であることを特徴とするとしてもよい。
【００２７】
また、第５には、上記第３又は第４の構成において、左折曲げ片部と右折曲げ片部の一方である特定折曲げ片部（１３０、１３０’）は、中央部との間の折れ線である第１折れ線又は第２折れ線を介して中央部から連設された折曲げ片部本体（１３２、１３２’）と、折曲げ片部本体の中央部とは反対側に連設された突状部（１３４、１３４’）とを有し、差込み片部は、突状部の折曲げ片部本体とは反対側の先端に設けられていることを特徴とする。
【００２８】
なお、上記第３又は第４の構成において、左折曲げ片部は、中央部から第２折れ線を介して連設された折曲げ片部本体（１３２）と、折曲げ片部本体の中央部とは反対側に連設された突状部（１３４）とを有し、差込み片部は、突状部の折曲げ片部本体とは反対側の先端に設けられていることを特徴とするものとしてもよい。
【００２９】
また、上記第３又は第４の構成において、右折曲げ片部は、中央部から第１折れ線を介して連設された折曲げ片部本体（１３２’）と、折曲げ片部本体の中央部とは反対側に連設された突状部（１３４’）とを有し、差込み片部は、突状部の折曲げ片部本体とは反対側の先端に設けられていることを特徴とするものとしてもよい。
【００３０】
また、第６には、上記第３の構成において、右折曲げ片部は、中央部から第１折れ線を介して連設されるとともに、第２右構成部から第５折れ線を介して連設された右折曲げ片部本体（１２１）と、右折曲げ片部本体から第７折れ線（Ｃ２５）を介して連設された延設部（１２２）とを有し、被差込み部は、右折曲げ片部本体と延設部の境界に沿って設けられ、左折曲げ片部は、中央部から第２折れ線を介して連設された左折曲げ片部本体（１３２）と、左折曲げ片部本体の中央部とは反対側に第８折れ線（Ｃ２６）を介して連設された突状部（１３４）とを有し、差込み片部は、突状部の左折曲げ片部本体とは反対側の先端に設けられ、差込み片部は、突状部における差込み片部以外の領域である連結部（１３６）から第９折れ線（Ｃ２７）を介して連設されており、差込み片部を被差込み部に差し込んだ状態で、延設部が右折曲げ片部本体に対して折れ曲がるとともに、連結部が左折曲げ片部本体に対して折れ曲がり、差込み片部が連結部に対して折れ曲がり、連結部と延設部が重なることにより、延設部と中央部間が間隔を有する状態となって、被包装物が包装された状態では、中央部と右折曲げ片部と左折曲げ片部とからなる本体部が、水平な設置面に中央部の下辺を下側にして自立可能な略筒状（筒状としてもよい）を呈することを特徴とする。
【００３１】
よって、被包装物が包装された状態では、中央部と右折曲げ片部と左折曲げ片部とからなる本体部が、水平な設置面に自立可能な略筒状を呈するので、包装具を設置面に自立した状態で配置することができる。
【００３２】
また、第７には、上記第３の構成において、左折曲げ片部は、中央部から第２折れ線を介して連設されるとともに、第２左構成部から第６折れ線を介して連設された左折曲げ片部本体（１２１’）と、左折曲げ片部本体から第７折れ線（Ｃ２５）を介して連設された延設部（１２２’）を有し、被差込み部は、左折曲げ片部本体と延設部の境界に沿って設けられ、右折曲げ片部は、中央部から第１折れ線を介して連設された右折曲げ片部本体（１３２’）と、右折曲げ片部本体の中央部とは反対側に第８折れ線（Ｃ２６）を介して連設された突状部（１３４’）とを有し、差込み片部は、突状部の右折曲げ片部本体とは反対側の先端に設けられ、差込み片部は、突状部における差込み片部以外の領域である連結部（１３６’）から第９折れ線（Ｃ２７）を介して連設されており、差込み片部を被差込み部に差し込んだ状態で、延設部が左折曲げ片部本体に対して折れ曲がるとともに、連結部が右折曲げ片部本体に対して折れ曲がり、差込み片部が連結部に対して折れ曲がり、連結部と延設部が重なることにより、延設部と中央部間が間隔を有する状態となって、被包装物が包装された状態では、中央部と右折曲げ片部と左折曲げ片部とからなる本体部が、水平な設置面に中央部の下辺を下側にして自立可能な略筒状（筒状としてもよい）を呈することを特徴とする。
【００３３】
よって、被包装物が包装された状態では、中央部と右折曲げ片部と左折曲げ片部とからなる本体部が、水平な設置面に自立可能な略筒状を呈するので、包装具を設置面に自立した状態で配置することができる。
【００３４】
なお、上記第６及び第７の構成において、本体部が、中央部の下辺と右折曲げ片部本体の下辺と左折曲げ片部本体の下辺が該設置面に接した状態で自立可能であることを特徴とするとしてもよい。
【００３５】
また、第８には、上記第５から第７までのいずれかの構成において、差込み片部の基端側の両側には、被差込み部に係止するための第１突起（１３８ａ、１３８ｂ）が設けられ、突状部の基端側の両側には、被差込み部に係止するための第２突起（１３６−１、１３６−２）が設けられていることを特徴とする。
【００３６】
よって、突状部を基端まで被差込み部に差し込んで第２突起を被差込み部に係止させることにより、第１突起を被差込み部に係止させた場合に比べて扁平な状態にすることができる。
【００３７】
また、第９には、上記第３から第８までのいずれかの構成において、第１中構成部には、一対のテーパ状の折曲げ用の罫線が設けられ、該一対の罫線は、第１中構成部の第３折れ線側である下辺側から上辺側に行くに従い、一対の罫線間の長さが短くなるように第１中構成部の下辺に対して傾斜して形成され、
右折曲げ片部と左折曲げ片部を中央部に対して正面側に回動させると、該一対の罫線に沿った折れ線（Ｃ３４、Ｃ３５）が正面側から見て山折りとなって、第１中構成部が折れ曲がることを特徴とする。
【００３８】
よって、被包装物をシート状部材と中央部に間に配置する際に、右折曲げ片部と左折曲げ片部を中央部に対して正面側に回動させることにより、該一対の罫線に沿った折れ線が山折りとなって第１中構成部が折れ曲がるので、被包装物がシート状部材の下端領域に達しても、第１中構成部が被包装物の挿入に支障になることはない。
【００３９】
また、第１０には、上記第１から第９までのいずれかの構成において、中央部は、中央部におけるシート状部材により被覆された領域に形成された折曲げ片（１１２、１１４、１１６）と、中央部における折曲げ片以外の領域である中央部本体（１１１）とを有し、被包装物をシート状部材と中央部の間に配置する際に、折曲げ片を中央部本体に対してシート状部材側に折り曲げた状態とすることを特徴とする。
【００４０】
よって、折曲げ片が設けられているので、折曲げ片を折り曲げた状態で被包装物を配置することにより被包装物の移動を規制でき、被包装物を位置決めすることができる。
【００４１】
また、第１１には、上記第１から第１０までのいずれかの構成において、中央部と右折曲げ片部の境界の上端位置には、開口部（Ｋ１２、Ｋ１１２）が設けられ、中央部と左折曲げ片部の境界の上端位置には、開口部（Ｋ１４、Ｋ１１４）が設けられていることを特徴とする。
【００４２】
よって、右折曲げ片部を第１右構成部及び第２右構成部とともに背面側に折り曲げるのが容易となり、左折曲げ片部を第１左構成部及び第２左構成部とともに背面側に折り曲げるのが容易となる。
【００４３】
なお、第１２の構成として、上記第１から第１１までのいずれかの構成において、該下右折れ線と、該上右折れ線と、該下左折れ線と、該上左折れ線は、互いに平行な２本の折曲げ用の罫線よりなる二重罫線により形成されていることを特徴とするものとしてもよい。第１２の構成によれば、第１右構成部と第２右構成部を右折曲げ片部とともに背面側に折り曲げるのが容易となり、第１左構成部と第２左構成部を左折曲げ片部とともに背面側に折り曲げるのが容易となる。
【００４４】
なお、上記第１２の構成において、該下右折れ線を構成する二重罫線における第１中構成部側の罫線と、該上右折れ線を構成する二重罫線における第２中構成部側の罫線は、第１折れ線の延長線上に設けられ、該下左折れ線を構成する二重罫線における第１中構成部側の罫線と、該上左折れ線を構成する二重罫線における第２中構成部側の罫線は、第２折れ線の延長線上に設けられていることを特徴とするものとしてもよい。
【００４５】
また、第１３の構成として、上記第１から第１２までのいずれかの構成において、第２中構成部は、第２中構成部を中央部に対して折り返した状態で中央部に対向しない領域である非対向領域を有し、該非対向領域に包装具を吊り下げるための開口部（７２Ｋ、１７２Ｋ）又は切欠部（７２Ｋ’）が設けられていることを特徴とするものとしてもよい。第１３の構成によれば、包装具を吊り下げた状態で、展示することができる。
【００４６】
なお、第１３の構成において、第２中構成部は、第４折れ線よりも下方に突出し、第２中構成部を中央部に対して折り返した状態では上方に突出する第２突状部（７２−２、１７２−２）を有し、該開口部又は切欠部は、該第２突状部に形成されていることを特徴とするものとしてもよい。
【発明の効果】
【００４７】
本発明に基づく包装具によれば、被包装物をシート状部材と中央部間に配置した状態で、上折返し片部を正面側に折り返し、上折返し片部を折り返した状態で、右折曲げ片部と第１右構成部と第２右構成部を背面側に折り曲げ、さらに、左折曲げ片部と第１左構成部と第２左構成部を背面側に折り曲げて、差込み片部を被差込み部に差し込むことにより、被包装物が包装されるので、加熱装置等の包装のための他の装置が必要ない。
【００４８】
また、シート状部材と中央部間の隙間に挿入することができる形状・大きさの被包装物であれば、包装することができるので、多様な形状・大きさの被包装物に対応することができる。
【００４９】
また、第１中構成部がシート状部材の下端領域に密着し、第２中構成部がシート状部材の上端領域に密着するので、包装具本体を縦向きとしても被包装物が脱落することがなく、外部から被包装物を取り出すことができないため防犯上も優れている。
【図面の簡単な説明】
【００５０】
【図１】実施例１の包装具の正面図である。
【図２】実施例１の包装具の背面図である。
【図３】実施例１の包装具の平面図である。
【図４】実施例１の包装具の包装具本体の展開図である。
【図５】図４における要部説明図である。
【図６】図４における要部説明図である。
【図７】フィルムを接着し、下中折返し片部を接着する前の状態を示す正面図である。
【図８】実施例１の包装具の使用状態を示す正面図である。
【図９】実施例１の包装具の使用状態を示す正面図である。
【図１０】実施例１の包装具の使用状態を示す正面図である。
【図１１】実施例１の包装具の使用状態を示す背面図である。
【図１２】実施例１の包装具の使用状態を示す斜視図である。
【図１３】実施例２の包装具の正面図である。
【図１４】実施例２の包装具の背面図である。
【図１５】実施例２の包装具の平面図である。
【図１６】実施例２の包装具の包装具本体の展開図である。
【図１７】図１６における要部説明図である。
【図１８】図１６における要部説明図である。
【図１９】フィルムを接着し、下折返し片部を接着する前の状態を示す正面図である。
【図２０】実施例２の包装具の使用状態を示す正面図である。
【図２１】実施例２の包装具の使用状態を示す正面図である。
【図２２】実施例２の包装具の使用状態を示す正面図である。
【図２３】実施例２の包装具の使用状態を示す背面図である。
【図２４】実施例２の包装具の使用状態を示す斜視図である。
【図２５】実施例２の包装具の使用状態を示す背面図である。
【図２６】実施例３の包装具の正面図である。
【図２７】実施例３の包装具の背面図である。
【図２８】実施例３の包装具の包装具本体の展開図である。
【図２９】実施例３の包装具の使用状態を示す正面図である。
【図３０】実施例３の包装具の使用状態を示す正面図である。
【図３１】実施例３の包装具の使用状態を示す斜視図である。
【図３２】実施例１の包装具の他の例を示す正面図である。
【図３３】実施例２の包装具の他の例を示す正面図である。
【図３４】実施例１の包装具の他の例を示す正面図である。
【発明を実施するための形態】
【００５１】
本発明においては、商品を台紙に固定した状態で外部から視認可能に包装する包装具において、加熱装置等の包装のための他の装置が必要なく、多様な形状・大きさの被包装物に対応可能で、かつ、台紙を縦向きにして使用しても被包装物が脱落するおそれがない包装具を提供するという目的を以下のようにして実現した。
【実施例１】
【００５２】
本発明に基づく包装具１は、図１〜図６に示すように構成され、包装具１は、包装具本体５と、包装具本体５に接着されたフィルム９０とを有している。
【００５３】
包装具本体（台紙としてもよい）５は、シート状のブランクにより形成されており、全体に１枚のシート状のブランク（具体的には、段ボール製（例えば、薄型段ボール製）のブランクであり、厚紙製のブランク等の他の紙製のブランクでもよい）により形成されている。つまり、包装具本体５は、段ボール材（特に、両面段ボール材）等の紙製のブランクにより形成されている。つまり、包装具本体５は、シート状の紙製部材により形成されている。
【００５４】
この包装具本体５は、中央部１０と、中央部１０の右側面側の辺部から折れ線（第１折れ線）Ｃ１を介して連設された右折曲げ片部２０と、中央部１０の左側面側の辺部から折れ線（第２折れ線）Ｃ２を介して連設された左折曲げ片部３０と、右折曲げ片部２０の下側の辺部から折れ線（第３折れ線）Ｃ５を介して連設された右下折返し片部４０と、左折曲げ片部３０における左折曲げ片部本体３２の下側の辺部から折れ線（第４折れ線）Ｃ６を介して連設された左下折返し片部４２と、中央部１０の下辺から折れ線（第５折れ線）Ｃ３を介して連設された中下折返し片部５０と、中央部１０の上辺から折れ線（第６折れ線）Ｃ４を介して連設された上折返し片部７０とを有している。中央部１０と右折曲げ片部２０と左折曲げ片部３０とで、本体部６が構成される。
【００５５】
ここで、中央部１０は、略方形状（具体的には、縦長の略長方形状）を呈し、縦長長方形状に、３つの切欠部、すなわち、中央部１０の上辺側に略台形形状の切欠部（切込みＫ１０により形成された切欠部）と、中央部１０の右上の角部に縦長長方形状の切欠部（開口部Ｋ１２の一部をなす切欠部）と、中央部１０の左上の角部に縦長長方形状の切欠部（開口部Ｋ１４の一部をなす切欠部）を設けた外形を呈している。つまり、中央部１０は、折れ線Ｃ１に沿った辺部（右辺）と、折れ線Ｃ２に沿った辺部（左辺）と、折れ線Ｃ３に沿った辺部（下辺）と、折れ線Ｃ４に沿った辺部（上辺）と、切込みＫ１０に沿った辺部と、開口部Ｋ１２の辺部の一部に沿った辺部と、開口部Ｋ１４の辺部の一部に沿った辺部とを有している。
【００５６】
この中央部１０は、被包装物を配置する領域を有するものであり、中央部１０のフィルム９０と重なった領域とフィルム９０との間に被包装物を配置して被包装物を包装する。
【００５７】
また、右折曲げ片部２０は、略台形形状を呈し、縦長長方形状の下端を斜めに欠切するとともに、上端の中央部１０側の角部に細長長方形状の切欠部（開口部Ｋ１２の一部をなす切欠部）を設けた形状を呈し、右折曲げ片部２０は、折れ線Ｃ１と一致する直線状の辺部２０ａと、辺部２０ａの下端から連設され、辺部２０ａに対して直角の直線状の辺部２０ｂと、辺部２０ｂから連設され、辺部２０ｂに対して１３５度の角度をなす直線状の辺部２０ｃと、辺部２０ｃから連設され、辺部２０ｃに対して１３５度の角度をなす直線状の辺部２０ｄと、辺部２０ｄから連設され、辺部２０ｄに対して直角をなす直線状の辺部２０ｅと、辺部２０ｅから連設され、辺部２０ｅに対して直角をなす直線状の辺部２０ｆと、辺部２０ｆから連設され辺部２０ｆに対して直角をなし辺部２０ａまで形成された直線状の辺部２０ｇとを有している。辺部２０ｃは、上側にいくに従い折れ線Ｃ１との間の距離が長くなるように、折れ線Ｃ１の方向に対して傾斜しており、折れ線Ｃ１の方向に対して鋭角（具体的には、４５度）をなしている。なお、辺部２０ｃと折れ線Ｃ１の方向がなす角度は、４５度でなくても、鋭角であればよい。
【００５８】
この右折曲げ片部２０には、差込み片部３８を差し込むための被差込み部Ｋ１６が上下方向に形成され、この被差込み部Ｋ１６は切込みに形成され、該切込みは、円弧状の切込みと該円弧状の切込みの両端から連設された鉤状の切込み（縦方向の切込みと横方向の切込みからなる切込み）から形成されている。２つの鉤状の切込みにおいて、縦方向の切込みは、折れ線Ｃ１と平行に直線状に形成され、同一直線上に形成されている。
【００５９】
この右折曲げ片部２０の横方向の長さ（辺部２０ａと辺部２０ｄ間の長さ）は、差込み片部３８を被差込み部Ｋ１６に差し込んで包装具１を包装状態にした際に、右折曲げ片部２０と左折曲げ片部本体３２とが接しない長さに形成され、具体的には、中央部１０の横方向の長さ（折れ線Ｃ１と折れ線Ｃ２間の長さ）の半分以下の長さに形成されている。この右折曲げ片部２０には、フィルム９０の右辺に沿った領域が接着される。
【００６０】
また、左折曲げ片部（特定折曲げ片部）３０は、中央部１０から折れ線Ｃ２を介して連設された左折曲げ片部本体３２と、左折曲げ片部３２の折れ線Ｃ２とは反対側の辺部から連設された突状部３４とを有し、突状部３４は、左折曲げ片部本体３２から連設された連結部３６と、連結部３６の左折曲げ片部本体３２とは反対側の辺部から折れ線Ｃ７を介して連設された差込み片部３８とを有している。
【００６１】
ここで、左折曲げ片部本体（折曲げ片部本体）３２は、包装具本体５の展開状態において、被差込み部Ｋ１６が設けられていない点を除き、右折曲げ片部２０と上下方向の中心線を介して左右線対称に形成されていて、略台形形状を呈し、縦長長方形状の下端を斜めに欠切するとともに、上端の中央部１０側の角部に細長長方形状の切欠部（開口部Ｋ１４の一部をなす切欠部）を設けた形状を呈し、左折曲げ片部本体３２は、折れ線Ｃ２と一致する直線状の辺部３２ａと、辺部３２ａの下端から連設され、辺部３２ａに対して直角の直線状の辺部３２ｂと、辺部３２ｂから連設され、辺部３２ｂに対して１３５度の角度をなす直線状の辺部３２ｃと、辺部３２ｃから連設され、辺部３２ｃに対して１３５度の角度をなす直線状の辺部３２ｄと、辺部３２ｄから連設され、辺部３２ｄに対して直角をなす直線状の辺部３２ｅと、辺部３２ｅから連設され、辺部３２ｅに対して直角をなす直線状の辺部３２ｆと、辺部３２ｆから連設され辺部３２ｆに対して直角をなし辺部３２ａまで形成された直線状の辺部３２ｇとを有している。辺部３２ｃは、上側にいくに従い折れ線Ｃ２との間の距離が長くなるように、折れ線Ｃ２の方向に対して傾斜しており、折れ線Ｃ２の方向に対して鋭角（具体的には、４５度）をなしている。なお、辺部３２ｃと折れ線Ｃ２の方向がなす角度は、４５度でなくても、鋭角であればよい。
【００６２】
なお、辺部３２ｄは、連結部３６が左折曲げ片部本体３２に連設されている関係で、連結部４０を介して上側と下側に設けられ、上側の辺部３２ｄと下側の３２ｄは同一直線上に形成されている。
【００６３】
この左折曲げ片部本体３２の横方向の長さ（辺部３２ａと辺部３２ｄ間の長さ）は、差込み片部３８を被差込み部Ｋ１６に差し込んで包装具１を包装状態にした際に、右折曲げ片部２０と左折曲げ片部本体３２とが接しない長さに形成され、具体的には、中央部１０の横方向の長さ（折れ線Ｃ１と折れ線Ｃ２間の長さ）の半分以下の長さに形成されている。この左折曲げ片部本体３２の横方向の長さは、右折曲げ片部２０の横方向の長さ（辺部２０ｄと折れ線Ｃ１間の長さ）と同一（略同一としてもよい）に形成されている。この左折曲げ片部本体３２には、フィルム９０の左辺に沿った領域が接着される。
【００６４】
なお、特定折曲げ片部としての左折曲げ片部３０の傾斜辺（辺部３２ｃ）は、折曲げ片部本体としての左折曲げ片部本体３２に設けられ、左下折返し片部４２と右下折返し片部４０の２つの折返し片部における特定折曲げ片部から連設された折返し片部である左下折返し片部４２と、左構成部（第２左構成部）８０と右構成部（第２右構成部）７６の２つの第２構成部における特定折曲げ片部から連設された第２構成部である左構成部８０は、折曲げ片部本体としての左折曲げ片部本体３２から連設されている。
【００６５】
また、連結部３６は、左折曲げ片部本体３２の中央部１０とは反対側の辺部から連設され、方形状（具体的には、縦長長方形状）を呈している。なお、連結部３６と左折曲げ片部本体３２の間には折れ線は設けられていない。連結部３６の上下方向の長さは、被差込み部Ｋ１６の上下方向の長さと同一に形成されている。
【００６６】
また、差込み片部３８は、連結部３６の左折曲げ片部本体３２とは反対側の辺部から折れ線Ｃ７を介して連設され、略台形形状を呈している。この差込み片部３８の基端側（連結部３６側）の両側には、突起３８ａ、３８ｂが設けられ、突起３８ａは、連結部３６の下側の辺部よりも下方に突出し、突起３８ｂは、連結部３６の上側の辺部よりも上方に突出し、連結部３６の上下方向の長さは、被差込み部Ｋ１６の上下方向の長さと同一に形成されているので、差込み片部３８を被差込み部Ｋ１６に差し込んだ際に、差込み片部３８の突起３８ａ、３８ｂが被差込み部Ｋ１６の両側の位置に係止するようになっている。なお、差込み片部３８の基端側から先端側までの長さは、被差込み部Ｋ１６に差し込んだ際に、差込み片部３８の基端まで被差込み部Ｋ１６に差し込むことができるように、被差込み部Ｋ１６（特に、縦方向の直線部分）と折れ線Ｃ１間の長さよりも短く形成されている。
【００６７】
また、右下折返し片部４０は、右折曲げ片部２０の辺部２０ｃから折れ線Ｃ５を介して連設され、略直角三角形を呈している。すなわち、右下折返し片部４０は、折れ線Ｃ５と一致する直線状の辺部４０ａと、辺部４０ａから連設され辺部４０ａに対して４５度の角度をなす直線状の辺部４０ｂと、辺部４０ｂから連設され略円弧状を呈する辺部４０ｃと、辺部４０ｃから連設され、辺部４０ｂに対して直角をなし、辺部４０ａまで形成された直線状の辺部４０ｄとを有している。辺部４０ｄは、辺部４０ａに対して４５度の角度をなしている。ここで、折れ線Ｃ５は、折れ線Ｃ１の方向に対して４５度の角度をなすといえる。
【００６８】
なお、右下折返し片部４０の辺部４０ａは、折れ線Ｃ１の下端位置よりも右側面側にずれた位置となっているが、これは、辺部４０ｂと折れ線Ｃ８−１間に隙間を設けることにより、右折曲げ片部２０を中央部１０に対して背面側に折り曲げしやすくするためである。
【００６９】
また、左下折返し片部４２は、左折曲げ片部本体３２の辺部３２ｃから折れ線Ｃ６を介して連設され、略直角三角形を呈し、包装具本体５の展開状態において、右下折返し片部４０と上下方向の中心線を介して左右線対称に形成されている。すなわち、左下折返し片部４２は、折れ線Ｃ６と一致する直線状の辺部４２ａと、辺部４２ａから連設され辺部４２ａに対して４５度の角度をなす直線状の辺部４２ｂと、辺部４２ｂから連設され略円弧状を呈する辺部４２ｃと、辺部４２ｃから連設され、辺部４２ｂに対して直角をなし、辺部４２ａまで形成された直線状の辺部４２ｄとを有している。辺部４２ｄは、辺部４２ａに対して４５度の角度をなしている。
【００７０】
なお、左下折返し片部４２の辺部４２ａは、折れ線Ｃ２の下端位置よりも左側面側にずれた位置となっているが、これは、辺部４２ｂと折れ線Ｃ９−１間に隙間を設けることにより、左折曲げ片部３０を中央部１０に対して背面側に折り曲げしやすくするためである。
【００７１】
また、中下折返し片部５０は、中央部１０の下辺から折れ線Ｃ３を介して連設され、中下折返し片部５０は、中央部１０の下辺から折れ線Ｃ３を介して連設された中構成部５２と、中構成部５２の右側面側の辺部から二重の折れ線（下右折れ線）Ｃ８を介して連設された右構成部５６と、中構成部５２の左側面側の辺部から二重の折れ線（下左折れ線）Ｃ９を介して連設された左構成部６０とを有している。
【００７２】
中構成部（第１中構成部）５２は、全体に略長方形状（略横長長方形状）を呈し、折れ線Ｃ３と一致する辺部５２ａと、辺部５２ａの右側面側の端部から連設された略円弧状の辺部５２ｂと、辺部５２ｂから連設され、辺部５２ａに対して鈍角（具体的には、略１３５度）をなす直線状の辺部５２ｃと、辺部５２ｃから連設され、辺部５２ａに対して直角をなす辺部５２ｄと、辺部５２ｄから連設され、辺部５２ａと平行な直線状の辺部５２ｅと、辺部５２ｅから連設され、辺部５２ｅに対して直角をなす直線状の辺部５２ｆと、辺部５２ｆから連設され、辺部５２ｆに対して鈍角（具体的には、略１３５度）をなす直線状の辺部５２ｇと、辺部５２ｇから連設され、辺部５２ａの左側面側の端部まで形成された略円弧状の辺部５２ｈとを有している。
【００７３】
中構成部５２には、辺部５２ｂ、５２ｃを有していて、帯状部５４の辺部（折れ線Ｃ３の方向に対して傾斜した辺部）が折れ線Ｃ３と折れ線Ｃ１の角部から形成されていない構成であるので、右折曲げ片部２０の折れ線Ｃ１を介した折曲げ及び右構成部５６の折れ線Ｃ８を介した折曲げを容易にしている。
【００７４】
また、同様に、中構成部５２には、辺部５２ｇ、５２ｈを有していて、帯状部５８の辺部（折れ線Ｃ３の方向に対して傾斜した辺部）が折れ線Ｃ３と折れ線Ｃ２の角部から形成されていない構成であるので、左折曲げ片部３０の折れ線Ｃ２を介した折曲げ及び左構成部６０の折れ線Ｃ９を介した折曲げを容易にしている。
【００７５】
また、右構成部（第１右構成部）５６は、略直角三角形状を呈し、折れ線Ｃ８に沿って形成された直線状の辺部５６ａと、辺部５６ａから連設され、辺部５６ａと直角をなす直線状の辺部５６ｂと、辺部５６ｂから連設され、略円弧状をなす辺部５６ｃと、辺部５６ｃから連設され、辺部５６ｂに対して略４５度をなし辺部５６ａまで形成された直線状の辺部５６ｄとを有している。
【００７６】
なお、二重の折れ線Ｃ８は、折れ線Ｃ８−１と折れ線Ｃ８−２から構成され、折れ線Ｃ８−１と折れ線Ｃ８−２は互いに平行に形成され、二重の折れ線Ｃ８における中構成部５２側の折れ線Ｃ８−１は、辺部５２ｄと一致するとともに、包装具本体５の展開状態において、折れ線Ｃ１と同一直線上にあり、右構成部５６側の折れ線Ｃ８−２は、辺部５６ａと一致している。折れ線Ｃ８−１と折れ線Ｃ８−２間には、帯状部５４が形成されている。
【００７７】
また、中下折返し片部５０の展開状態において、中構成部５２の辺部５２ｃと、右構成部５６の辺部５６ｄと、帯状部５４における辺部５２ｃと辺部５６ｄ間の辺部は、同一直線上に形成されている。
【００７８】
また、左構成部（第１左構成部）６０は、略直角三角形状を呈し、折れ線Ｃ９に沿って形成された直線状の辺部６０ａと、辺部６０ａから連設され、辺部６０ａと直角をなす直線状の辺部６０ｂと、辺部６０ｂから連設され、略円弧状をなす辺部６０ｃと、辺部６０ｃから連設され、辺部６０ｂに対して略４５度をなし辺部６０ａまで形成された直線状の辺部６０ｄとを有している。この左構成部６０は、上下方向の中心線を介して右構成部５６と左右線対称に形成されている。
【００７９】
なお、二重の折れ線Ｃ９は、折れ線Ｃ９−１と折れ線Ｃ９−２から構成され、折れ線Ｃ９−１と折れ線Ｃ９−２は互いに平行に形成され、二重の折れ線Ｃ９における中構成部５２側の折れ線Ｃ９−１は、辺部５２ｆと一致するとともに、包装具本体５の展開状態において、折れ線Ｃ２と同一直線上にあり、左構成部６０側の折れ線Ｃ９−２は、辺部６０ａと一致している。折れ線Ｃ９−１と折れ線Ｃ９−２間には、帯状部５８が形成されている。
【００８０】
また、中下折返し片部５０の展開状態において、中構成部５２の辺部５２ｇと、左構成部６０の辺部６０ｄと、帯状部５８における辺部５２ｇと辺部６０ｄ間の辺部は、同一直線上に形成されている。
【００８１】
また、中下折返し片部５０において、辺部５２ｅと、辺部５６ｂと、辺部６０ｂと、帯状部５４における辺部５２ｅと辺部５６ｂ間の辺部と、帯状部５８における辺部５２ｅと辺部６０ｂ間の辺部は、同一直線上に形成されている。
【００８２】
中下折返し片部５０は、中央部１０に対して正面側に折り返した状態で、右下折返し片部４０と左下折返し片部４２に接着され、中下折返し片部５０は、右折曲げ片部２０に対して正面側に折り返した状態の右下折返し片部４０と、左折曲げ片部本体３２に対して正面側に折り返した状態の左下折返し片部４２に接着されている。つまり、右構成部５６の内側の面が、折り返した状態の右下折返し片部４０の外側の面に接着され、左構成部６０の内側の面が、折り返した状態の左下折返し片部４２の外側の面に接着されている。具体的には、図７における右構成部５６及び左構成部６０のハッチングに示す領域、つまり、右構成部５６と左構成部６０の全面が接着領域となる。
【００８３】
中下折返し片部５０と右下折返し片部４０と左下折返し片部４２によりポケット状部６２が構成され、ポケット状部６２は、本体部６の下端においてポケット状に形成されている。
【００８４】
なお、中下折返し片部５０は、右下折返し片部４０の外側の面と左下折返し片部４２の外側の面に接着されているとしたが、右下折返し片部４０の内側の面と左下折返し片部４２の内側の面に接着してもよい。つまり、右構成部５６の外側の面が、折り返した状態の右下折返し片部４０の内側の面に接着され、左構成部６０の外側の面が、折り返した状態の左下折返し片部４２の内側の面に接着された構成としてもよい。
【００８５】
また、上折返し片部７０は、中央部１０と右折曲げ片部２０と左折曲げ片部本体３２の上辺から折れ線Ｃ４、Ｃ１２、Ｃ１３を介して連設され、上折返し片部７０は、中央部１０の上辺から折れ線Ｃ４を介して連設された中構成部７２と、中構成部７２の右側面側の辺部から二重の折れ線（上右折れ線）Ｃ１０を介して連設されるとともに、右折曲げ片部２０から折れ線Ｃ１２を介して連設された右構成部７６と、中構成部７２の左側面側の辺部から二重の折れ線（上左折れ線）Ｃ１１を介して連設されるとともに、左折曲げ片部本体３２から折れ線Ｃ１３を介して連設された連設された左構成部８０とを有している。
【００８６】
中構成部（第２中構成部）７２は、全体に長方形状の突状部を連設した形状を呈し、長方形状の中構成部本体７２−１と、中構成部本体７２−１の下辺から突出した突状部（第２突状部）７２−２とを有している。すなわち、中構成部７２は、切込みＫ１０に沿った辺部７２ａと、辺部７２ａから連設され、右側面側の折れ線Ｃ４と一致する直線状の辺部７２ｂと、辺部７２ｂから連設され、辺部７２ｂと直角をなす直線状の辺部７２ｃと、辺部７２ｃから連設され、辺部７２ｃと直角をなす（つまり、辺部７２ｂと平行な）直線状の辺部７２ｄと、辺部７２ｄから連設され、辺部７２ｄと直角をなす直線状の辺部７２ｅと、辺部７２ｅから連設され、辺部７２ｅと直角をなし辺部７２ａまで形成された直線状の辺部７２ｆとを有している。なお、辺部７２ｂと辺部７２ｆは、同一直線上に形成されている。
【００８７】
また、包装具本体５の展開状態において、突状部７２−２と中央部１０間には、切込みＫ１０が形成され、切込みＫ１０は、折れ線Ｃ４（一対の折れ線Ｃ４における左側面側の折れ線）の右側面側の端部から右下側に傾斜して形成された直線状の切込みＫ１０ａと、切込みＫ１０ａから連設された略円弧状の切込みＫ１０ｂと、切込みＫ１０ｂから連設され、左右方向（すなわち、折れ線Ｃ４の方向と平行な方向）に形成された直線状の切込みＫ１０ｃと、切込みＫ１０ｃから連設された略円弧状の切込みＫ１０ｄと、切込みＫ１０ｄから右上側に傾斜して形成され、折れ線Ｃ４（一対の折れ線Ｃ４における右側面側の折れ線）の左側面側に端部まで形成された直線状の切込みＫ１０ｅとを有している。包装具本体５の展開状態において、突状部７２−２と中央部１０とは、この切込みＫ１０を介して区画されている。
【００８８】
なお、突状部７２−２には、円形の開口部７２Ｋが設けられ、この開口部７２Ｋにより包装具１を吊り下げることができるようになっている。つまり、突状部７２−２は、中構成部７２を中央部１０に対して折り返した状態で中央部１０に対向しない領域（非対向領域）であり、この突状部７２−２に開口部７２Ｋを設けることにより包装具１を吊り下げできるようになっている。なお、開口部７２Ｋは、突状部７２−２に設けられているが、突状部７２−２でなくてもよく、中構成部７２を中央部１０に対して折り返した際に、中央部１０に対向しない領域である非対向領域７２Ｗ（図４参照）に設ければよい。
【００８９】
また、右構成部（第２右構成部）７６は、略台形形状を呈し、折れ線Ｃ１０に沿って形成された直線状の辺部７６ａと、辺部７６ａから連設され、辺部７６ａと直角をなす直線状の辺部７６ｂと、辺部７６ｂから連設され、辺部７６ｂと直角をなす直線状の辺部７６ｃと、辺部７６ｃから連設され、円弧状をなす辺部７６ｄと、辺部７６ｄから連設され、辺部７６ｃに対して鈍角をなし辺部７６ａまで形成された直線状の辺部７６ｅとを有している。
【００９０】
なお、二重の折れ線Ｃ１０は、折れ線Ｃ１０−１と折れ線Ｃ１０−２から構成され、折れ線Ｃ１０−１と折れ線Ｃ１０−２は互いに平行に形成され、二重の折れ線Ｃ１０における中構成部７２側の折れ線Ｃ１０−１は、辺部７２ｃと一致し、折れ線Ｃ１の延長線上にあり（つまり、同一直線上に形成されている）、右構成部７６側の折れ線Ｃ１０−２は、辺部７６ａと一致している。折れ線Ｃ１０−１と折れ線Ｃ１０−２間には、帯状部７４が形成されている。
【００９１】
また、右構成部７６は、右折曲げ片部２０から折れ線（第７折れ線）Ｃ１２を介して連設され、この折れ線Ｃ１２は、辺部２０ｅ及び辺部７６ｂと一致している。なお、帯状部７４の上側の辺部と辺部７６ｅは、同一直線上に形成されている。また、辺部７６ｃと辺部２０ｄは、同一直線上に形成されている。
【００９２】
また、左構成部（第２左構成部）８０は、略台形形状を呈し、折れ線Ｃ１１に沿って形成された直線状の辺部８０ａと、辺部８０ａから連設され、辺部８０ａと直角をなす直線状の辺部８０ｂと、辺部８０ｂから連設され、辺部８０ｂと直角をなす直線状の辺部８０ｃと、辺部８０ｃから連設され、円弧状をなす辺部８０ｄと、辺部８０ｄから連設され、辺部８０ｃに対して鈍角をなし辺部８０ａまで形成された直線状の辺部８０ｅとを有している。この左構成部８０は、上下方向の中心線を介して右構成部７６と左右線対称に形成されている。
【００９３】
なお、二重の折れ線Ｃ１１は、折れ線Ｃ１１−１と折れ線Ｃ１１−２から構成され、折れ線Ｃ１１−１と折れ線Ｃ１１−２は互いに平行に形成され、二重の折れ線Ｃ１１における中構成部７２側の折れ線Ｃ１１−１は、辺部７２ｅと一致し、折れ線Ｃ２の延長線上にあり（つまり、同一直線上に形成されている）、左構成部８０側の折れ線Ｃ１１−２は、辺部８０ａと一致している。折れ線Ｃ１１−１と折れ線Ｃ１１−２間には、帯状部７８が形成されている。
【００９４】
また、左構成部８０は、左折曲げ片部本体３２から折れ線（第８折れ線）Ｃ１３を介して連設され、この折れ線Ｃ１３は、辺部３２ｅ及び辺部８０ｂと一致している。なお、帯状部７８の上側の辺部と辺部８０ｅは、同一直線上に形成されている。また、辺部８０ｃと辺部３２ｄは、同一直線上に形成されている。
【００９５】
なお、包装具本体５の展開状態において、折れ線Ｃ４と、折れ線Ｃ１２と、折れ線Ｃ１３は同一直線上に形成されている。また、折れ線Ｃ１と、折れ線Ｃ８における中構成部５２側の折れ線Ｃ８−１と、折れ線Ｃ１０における中構成部７２側の折れ線Ｃ１０−１は同一直線上に形成されている。また、折れ線Ｃ２と、折れ線Ｃ９における中構成部５２側の折れ線Ｃ９−１と、折れ線Ｃ１１における中構成部７２側の折れ線Ｃ１１−１は同一直線上に形成されている。
【００９６】
包装具本体５は上記のように構成されており、包装具本体５の展開状態においては、突状部３４を除いた領域が上下方向の中心線を介して左右線対称に形成されているといえる。
【００９７】
また、中央部１０と右折曲げ片部２０の境界位置の上端には、縦長四角形状の開口部Ｋ１２が設けられている。つまり、開口部Ｋ１２を構成する一対の上下方向の辺部（折れ線Ｃ１の方向と同じ方向の辺部）は、折れ線Ｃ１の延長線から等距離（略等距離としてもよい）の位置に形成され、開口部Ｋ１２を構成する上辺は、折れ線Ｃ４の延長線上に形成されている。開口部Ｋ１２は、上折返し片部７０を本体部６に対して正面側に折り返した状態で、右折曲げ片部２０と右構成部７６を背面側に折り曲げやすくするために設けられている。
【００９８】
また、中央部１０と左折曲げ片部本体３２の境界位置の上端には、縦長四角形状の開口部Ｋ１４が設けられている。つまり、開口部Ｋ１４を構成する一対の上下方向の辺部（折れ線Ｃ２の方向と同じ方向の辺部）は、折れ線Ｃ２の延長線から等距離（略等距離としてもよい）の位置に形成され、開口部Ｋ１４を構成する上辺は、折れ線Ｃ４の延長線上に形成されている。開口部Ｋ１４は、上折返し片部７０を本体部６に対して正面側に折り返した状態で、左折曲げ片部３０と左構成部８０を背面側に折り曲げやすくするために設けられている。
【００９９】
なお、包装具本体５において、各折れ線の位置には、折れ線に沿って折曲げ用の罫線が設けられ、具体的には、該罫線は、包装具本体の裏側の面（フィルム９０を設ける側とは反対側の面）側から押圧した押罫により形成されている。
【０１００】
つまり、折れ線Ｃ８、Ｃ９、Ｃ１０、Ｃ１１は、互いに平行な２本の折曲げ用の罫線よりなる二重罫線により形成されている。なお、折れ線Ｃ８〜Ｃ１１は、互いに平行な２本の折れ線により形成されるとしたが、１本の折れ線により形成してもよい。つまり、折れ線Ｃ８は、折れ線Ｃ８−１のみにより構成し、折れ線Ｃ９は、折れ線Ｃ９−１のみにより構成し、折れ線Ｃ１０は、折れ線Ｃ１０−１のみにより構成し、折れ線Ｃ１１は、折れ線Ｃ１１−１のみにより構成してもよい。
【０１０１】
また、フィルム（シート状部材）９０は、方形状（具体的には、横長長方形状）を呈し、引っ張りにより伸び変形する透明なシート状部材であり、直線状の辺部９０ａ〜９０ｄにより囲まれた形状を呈している。すなわち、長辺側の辺部９０ａと９０ｃは互いに平行であり、短辺側の辺部９０ｂと辺部９０ｄが互いに平行となっている。
【０１０２】
フィルム９０は、引っ張りにより伸び変形するシート状部材であり、薄い膜状（フィルム状）を呈し、長辺方向（つまり、左右方向）と短辺方向（つまり、上下方向）のいずれの方向にも伸び変形するものであり、フィルム９０の素材としては、合成樹脂、具体的には、透明なポリエチレンにより形成されている。なお、ポリエチレンは、可塑性（力を加えて変形を与えたとき、力を取り去っても歪みがそのまま残る性質）を有するものである。なお、フィルム９０は、伸縮性（伸びるだけでなく縮む性質）を有するもの（例えば、ポリウレタンエラストマーフィルム、シリコーンエラストマーフィルム等のエラストマーフィルム）であってもよい。
【０１０３】
また、フィルム９０が伸び変形する方向は、長辺方向及び短辺方向としたが、長辺方向のみに伸び変形するものであってもよい。ただし、被包装物を中央部１０とフィルム９０の間に収納した際に、フィルム９０が左右方向に伸びることにより上下方向の長さが短くなると、中構成部５２、７２によりフィルム９０をカバーすることができないおそれがあるので、短辺方向にも伸び変形する素材とするのが好ましい。
【０１０４】
また、フィルム９０は透明であるとしたが、被包装物をフィルム９０を介して視認できるものであれば、透明でなくても半透明であってもよく、すなわち、フィルム９０の材質は透光性をするものであればよい。
【０１０５】
フィルム９０は包装具本体５に接着されているが、具体的には、短辺側の辺部に沿った領域が包装具本体５に接着され、辺部９０ｂに沿った領域（図７のハッチングに示す領域）が右折曲げ片部２０に接着され、辺部９０ｄに沿った領域（図７のハッチングに示す領域）が左折曲げ片部本体３２に接着されている。これにより、フィルム９０は、中央部１０を跨いだ状態となっている。つまり、フィルム９０の長手方向の長さ（辺部９０ａ、９０ｃの長さ）は、中央部１０の左右方向の長さ（折れ線Ｃ１と折れ線Ｃ２間の長さ）よりも長く形成されている。
【０１０６】
また、フィルム９０の短手方向の長さは、中央部１０の上下方向の長さ（折れ線Ｃ３と折れ線Ｃ４間の長さ）よりも短く形成され、フィルム９０の上辺は、折れ線Ｃ４よりも下側にあり、フィルム９０の下辺は、折れ線Ｃ３よりも上側にあり、フィルム９０の接着位置は、包装具１を包装状態（図１０〜図１２の状態）にした際に、中下折返し片部５０の中構成部５２がフィルム９０の下端領域に重なり、上折返し片部７０の中構成部７２がフィルム９０の上端領域に重なるように形成されていて、具体的には、中構成部５２の上下方向の長さＬ５２（折れ線Ｃ３（辺部５２ａとしてもよい）と辺部５２ｅ間の長さ）が、フィルム９０の下辺（つまり、辺部９０ａ）と折れ線Ｃ３（辺部５２ａとしてもよい）間の長さＬ９０ａよりも長く形成され、中構成部本体７２−１の上下方向の長さＬ７２（折れ線Ｃ４（辺部７２ｆ、７２ｂとしてもよい）と辺部７２ｄ間の長さ）が、フィルム９０の上辺（つまり、辺部９０ｃ）と折れ線Ｃ４（辺部７２ｆ、７２ｂとしてもよい）間の長さＬ９０ｃよりも長く形成されている。すなわち、フィルム９０は、包装具本体５における図７に示す位置に設けられている。
【０１０７】
包装具１の図１〜図３の状態、すなわち、フィルム９０が包装具本体５に接着され、かつ、右構成部５６が右下折返し片部４０に接着され、左構成部６０が左下折返し片部４２に接着された状態では、フィルム９０の下端領域は、中下折返し片部５０の内側に位置していて、包装具１を正面視した際には、フィルム９０の下端領域は、中下折返し片部５０に隠れて見えない状態となっている。つまり、フィルム９０の中央部１０に重なる領域の下辺（辺部９０ａにおいて中央部１０と重なる部分）は、中構成部５２の上辺（辺部５２ｅ）の下側に位置する。
【０１０８】
なお、フィルム９０の下端領域が中下折返し片部５０の内側に位置しているので、包装具１の製造に際しては、図７に示すように、展開状態の包装具本体５に対して、フィルム９０を接着し、その後に、右構成部５６と右下折返し片部４０の接着と左構成部６０と左下折返し片部４２の接着を行なう。右構成部５６及び左構成部６０の接着に際しては、それらの接着領域に接着剤を塗布した後、中下折返し片部５０を折れ線Ｃ３を介して折り返して、右構成部５６及び左構成部６０を接着させる。
【０１０９】
上記構成の包装具１の使用方法について説明する。まず、被包装物Ｐをフィルム９０と中央部１０の間の位置に配置する（図８参照）。すなわち、フィルム９０の上方からフィルム９０と中央部１０間に隙間に被包装物Ｐを挿入して配置する。なお、被包装物Ｐを挿入する際には、フィルム９０の上端と中央部１０間の位置に被包装物Ｐの一部を挿入して、そのまま下方に押し込めばよいが、フィルム９０と中央部１０間の間隔が狭くて挿入しにくい場合には、右折曲げ片部２０と左折曲げ片部３０を中央部１０に対して正面側に回動させることにより、フィルム９０と中央部１０間の隙間を大きくできるので、被包装物Ｐを挿入しやすくなる。なお、右折曲げ片部２０と左折曲げ片部３０を中央部１０に対して正面側に折り曲げる際には、中下折返し片部５０が中央部１０に対して正面側に回動して、中構成部５２の上端と中央部１０間の隙間が広くなるので、被包装物Ｐがフィルム９０の下端領域に達しても、中構成部５２が被包装物Ｐの挿入に支障になることはない。
【０１１０】
その後、上折返し片部７０を本体部６に対して正面側に折り返した状態とする（図９参照）。つまり、上折返し片部７０を折れ線Ｃ４、Ｃ１２、Ｃ１３を介して折り返した状態とする。すると、突状部７２−２は、中構成部本体７２−１よりも上方に突出した状態となり、また、中構成部本体７２−２が、フィルム９０の上端領域に被さった状態となる。つまり、中構成部本体７２−２が、フィルム９０の上端領域をカバーした状態となる。
【０１１１】
その後、折れ線Ｃ１、Ｃ８−１、Ｃ１０−１よりも右側面側の領域（つまり、右折曲げ片部２０と、帯状部５４及び右構成部５６と、帯状部７４及び右構成部７６からなる領域である右側領域７−１）を背面側に折り曲げるとともに、折れ線Ｃ２、Ｃ９−１、Ｃ１１−１よりも左側面側の領域（つまり、左折曲げ片部３０と、帯状部５８及び左構成部６０と、帯状部７８及び左構成部８０からなる領域である左側領域７−２）を背面側に折り曲げて、差込み片部３８を被差込み部Ｋ１６に差し込んで、突起３８ａ、３８ｂが被差込み部Ｋ１６の両側の位置に係止して差込み片部３８が右折曲げ片部２０に係止した状態とすることにより、図１０〜図１２に示すように、包装具本体５全体を略筒状にして、包装具１を包装状態とする。なお、包装状態の包装具１においては、左折曲げ片部本体３２と右折曲げ片部２０間には隙間が設けられ、その意味では、本体部６は略筒状といえるが、突状部３４が右折曲げ片部２０に重なっているので、その点では、本体部６は筒状であるともいえる。
【０１１２】
つまり、折れ線Ｃ１、Ｃ８−１、Ｃ１０−１よりも右側面側の領域を折り曲げる際には、右折曲げ片部２０を折れ線Ｃ１を介して中央部１０に対して折り曲げ、帯状部５４及び右構成部５６からなる領域を折れ線Ｃ８−１を介して中構成部５２に対して折り曲げ、帯状部７４及び右構成部７６からなる領域を折れ線Ｃ１０−１を介して中構成部７２に対して折り曲げる。なお、折れ線Ｃ８、Ｃ１０には二重の折曲げ用の罫線が設けられているので、右構成部５６、７６を右折曲げ片部２０とともに折り曲げるのが容易となる。
【０１１３】
また、折れ線Ｃ２、Ｃ９−１、Ｃ１１−１よりも左側面側の領域を折り曲げる際には、左折曲げ片部３０を折れ線Ｃ２を介して中央部１０に対して折り曲げ、帯状部５８及び左構成部６０からなる領域を折れ線Ｃ９−１を介して中構成部５２に対して折り曲げ、帯状部７８及び左構成部８０からなる領域を折れ線Ｃ１１−１を介して中構成部７２に対して折り曲げる。なお、折れ線Ｃ９、Ｃ１１には二重の折曲げ用の罫線が設けられているので、右構成部５６、７６を右折曲げ片部２０とともに折り曲げるのが容易となる。
【０１１４】
すると、フィルム９０が被包装物Ｐ及び中央部１０に密着するので、被包装物Ｐを中央部１０に密着させて被包装物Ｐを中央部１０に固定させることができるとともに、長さＬ５２が長さＬ９０ａよりも長く、中構成部５２がフィルム９０の下端領域に重なって密着するので、フィルム９０の下端と中央部１０間の隙間が塞ぐことができ、長さＬ７２がＬ９０ｃよりも長く、中構成部７２がフィルム９０の上端領域に重なって密着するので、フィルム９０の上端と中央部１０間の隙間を塞ぐことができるので、包装具１の包装状態において、被包装物Ｐを外部から取り出すことができないようにすることができる。なお、フィルム９０は透光性を有するので、フィルム９０を介して被包装物Ｐを視認することができる。
【０１１５】
また、中構成部７２の突状部７２−２には開口部７２Ｋが設けられているので、図１２に示すように、被包装物Ｐを収納した包装具１を吊り下げて陳列することができる。
【０１１６】
包装状態の包装具１から被包装物Ｐを取り出すには、差込み片部３８を被差込み部Ｋ１６から引き抜いて、差込み片部３８の係止を解除して、本体部６を図９のように展開した状態とした後に、上折返し片部７０を折り曲げた状態を解除して図８の状態にして、被包装物Ｐをフィルム９０の上端と中央部１０の隙間から取り出すようにする。なお、被包装物Ｐの取出しに際しては、右折曲げ片部２０と左折曲げ片部３０を中央部１０に対して正面側に回動させることにより、フィルム９０と中央部１０間の隙間が広がって、被包装物Ｐを取り出しやすくすることができる。
【０１１７】
なお、本体部６の下端にポケット状部６２が形成されているので、被包装物Ｐを収納したり取り出したりする際に、右折曲げ片部２０と左折曲げ片部３０を正面側に回動させて、フィルム９０と中央部１０間の隙間が広げて被包装物Ｐがフィルム９０の下端から下方に落下しても、このポケット状部６２で被包装物Ｐを受けることができ、被包装物Ｐが包装具１から脱落して落下することがない。
【０１１８】
上記のように、本実施例の包装具１においては、被包装物Ｐをフィルム９０と中央部１０間に収納して、上折返し片部７０を折り返し、さらに、右側領域７−１と左側領域７−２を背面側に折り曲げて、差込み片部３８を係止状態にすることにより、被包装物Ｐを包装できるので、加熱装置等の包装のための他の装置が必要ない。
【０１１９】
また、フィルム９０と中央部１０間の隙間に挿入することができる形状・大きさの被包装物であれば、包装することができるので、多様な形状・大きさの被包装物に対応することができる。
【０１２０】
また、包装具１の包装状態において、中構成部５２がフィルム９０の下端領域に密着し、中構成部７２がフィルム９０の上端領域に密着するので、包装具本体５を縦向きとしても被包装物が脱落することがなく、外部から被包装物を取り出すことができないため防犯上も優れている。
【０１２１】
また、フィルム９０は、中央部１０を跨ぐことができる大きさを有していればよいので、フィルム９０の面積を小さく抑えることができ、特に、プラスチック成形品を使用した包装具と比べて、樹脂使用量を少なくして、環境に優れた包装具を提供することができる。
【０１２２】
また、フィルム９０は、伸び変形する素材により形成されているので、フィルム９０を介して被包装物の形状や硬さを確認することができるので、プラスチック成形品を使用した包装具と比べて、効果的な展示をすることができる。
【実施例２】
【０１２３】
次に、実施例２の包装具について説明する。実施例２の包装具１０１は、実施例１の包装具と略同一の構成であるが、実施例１の包装具１が吊下げタイプであるのに対して、本実施例の包装具１０１は、自立（据え置く、立設としてもよい）させることができる点で異なる。
【０１２４】
包装具１０１は、図１３〜図１８に示すように構成され、包装具１０１は、包装具本体（台紙としてもよい）１０５と、包装具本体１０５に接着されたフィルム１９０とを有している。
【０１２５】
包装具本体１０５は、包装具本体５と同様に、シート状の紙製部材であり、全体に１枚のシート状のブランク（具体的には、段ボール製（例えば、薄型段ボール製）のブランクであり、厚紙製のブランク等の他の紙製のブランクでもよい）により形成されている。つまり、包装具本体１０５は、段ボール材（特に、両面段ボール材）等の紙製のブランクにより形成されている。
【０１２６】
包装具本体１０５は、中央部１１０と、中央部１１０の右側面側の辺部から折れ線（第１折れ線）Ｃ２１を介して連設された右折曲げ片部１２０と、中央部１１０の左側面側の辺部から折れ線（第２折れ線）Ｃ２２を介して連設された左折曲げ片部１３０と、中央部１１０の下辺から折れ線（第３折れ線）Ｃ２３を介して連設された下折返し片部１５０と、中央部１１０の上辺から折れ線（第４折れ線）Ｃ２４を介して連設された上折返し片部１７０とを有している。中央部１１０と右折曲げ片部１２０と左折曲げ片部１３０とで、本体部１０６が構成される。
【０１２７】
ここで、中央部１１０は、中央部１０と同様の構成であり、略方形状（具体的には、縦長の略長方形状）を呈し、縦長長方形状に、３つの切欠部、すなわち、切込みＫ１１０により形成された切欠部と、開口部Ｋ１１２の一部をなす切欠部と、開口部Ｋ１１４の一部をなす切欠部を設けた外形を呈している。
【０１２８】
また、右折曲げ片部１２０は、中央部１１０から折れ線Ｃ２１を介して連設された右折曲げ片部本体１２１と、右折曲げ片部本体１２１の中央部１１０とは反対側の辺部から折れ線Ｃ２５を介して連設された延設部１２２とを有している。
【０１２９】
右折曲げ片部本体１２１は、略台形形状を呈し、右折曲げ片部２０と略同様の構成であるが、包装具１０１が据置き型であるので、右折曲げ片部本体１２１の下辺の傾斜角度が小さく（中央部１１０の下辺の方向に対する角度が小さい）、被差込み部Ｋ１１６が延設部１２２との境界位置に設けられている点が異なる。
【０１３０】
すなわち、右折曲げ片部本体１２１は、折れ線Ｃ２１と一致する直線状の辺部１２０ａと、辺部１２０ａの下端から連設され、辺部１２０ａに対して鋭角（約８５度の鋭角）（略直角としてもよい）の直線状の辺部１２０ｂと、辺部１２０ｂから連設された辺部１２０ｃと、辺部１２０ｃから連設され、辺部１２０ｃに対して直角をなす直線状の辺部１２０ｄと、辺部１２０ｄから連設され、辺部１２０ｄに対して直角をなす直線状の辺部１２０ｅと、辺部１２０ｅから連設され辺部１２０ｅに対して直角をなし辺部１２０ａまで形成された直線状の辺部１２０ｆとを有している。辺部１２０ｃは、辺部１２０ｂから連設され、辺部１２０ｂと直角の直線状の辺部１２０ｃ−１と、辺部１２０ｄから連設され、辺部１２０ｄと直角の直線状の辺部１２０ｃ−３と、辺部１２０ｃ−１と辺部１２０−３の間に設けられ、略円弧状をなす辺部１２０ｃ−２とを有している。辺部１２０ｃ−１と辺部１２０ｃ−３は同一直線上に形成されている。
【０１３１】
右折曲げ片部本体１２１の横方向の長さ（折れ線Ｃ２１と折れ線Ｃ２５間の長さ）は、中央部１１０の横方向の長さ（折れ線Ｃ２１と折れ線Ｃ２２間の長さ）と略半分の長さ（厳密には、半分の長さよりも若干長い長さ）を有し、突状部１３４を突状部１３４の基端位置まで被差込み部Ｋ１１６に差し込んで、突起１３６−１、１３６−２が被差込み部Ｋ１１６に係止している状態で、辺部１２０ｃ−１、１２０ｃ−３と左折曲げ片部本体１３２の辺部１３２ｄ、１３２ｅが近接するようになっている。この右折曲げ片部本体１２１には、フィルム１９０の右辺に沿った領域が接着される。また、包装状態の包装具１０１を水平な設置面に設置する際に、辺部１２０ｂが設置面に接する。辺部１２０ｂが辺部１２０ａとなす角度は、約８５度の鋭角となっているが、包装状態の包装具１０１が水平方向の設置面に自立可能な角度であればよく、該角度以外の鋭角でもよく、直角でもよい。
【０１３２】
また、延設部１２２は、右折曲げ片部本体１２１の辺部１２０ｃ−１、１２０ｃ−３から折れ線Ｃ２５を介して連設され、略縦長長方形状を呈し、折れ線Ｃ２５に対して直角をなし直線状の辺部１２２ａと、辺部１２２ａから連設され、略円弧状の辺部１２２ｂと、辺部１２２ｂから連設され、折れ線Ｃ２５と平行な直線状の辺部１２２ｃと、辺部１２２ｃから連設され、略円弧状の辺部１２２ｄと、辺部１２２ｄから連設され、辺部１２２ａと平行な直線状の辺部１２０ｅと、辺部１２０ｄから連設され、辺部１２０ｃと同一の形状を呈する辺部１２２ｆとを有している。
【０１３３】
切込みＫ１１６は、右折曲げ片部本体１２１と延設部１２２の境界位置に設けられ、切込みＫ１６と同様の形状を有し、鉤状の切込みにおける縦方向の切込みは、折れ線Ｃ２５の延長線上に形成されている。
【０１３４】
また、左折曲げ片部（特定折曲げ片部）１３０は、中央部１１０から折れ線Ｃ２２を介して連設された左折曲げ片部本体１３２と、左折曲げ片部本体１３２の折れ線Ｃ２２とは反対側の辺部から連設された突状部１３４とを有し、突状部１３４は、左折曲げ片部本体１３２から連設された連結部１３６と、連結部１３６の左折曲げ片部本体１３２とは反対側の辺部から折れ線Ｃ２７を介して連設された差込み片部１３８とを有している。
【０１３５】
ここで、左折曲げ片部本体（折曲げ片部本体）１３２は、包装具本体１０５の展開状態において、中央部１１０とは反対側の辺部の形状が異なる点や、左下側の角部の形状を除き、右折曲げ片部本体１２１と上下方向の中心線を介して左右線対称に形成されていて、略台形形状を呈し、左折曲げ片部本体１３２は、折れ線Ｃ２２と一致する直線状の辺部１３２ａと、辺部１３２ａの下端から連設され、辺部１３２ａに対して鋭角（約８５度の鋭角）（略直角としてもよい）の直線状の辺部１３２ｂと、辺部１３２ｂから連設され、略円弧状の辺部１３２ｃと、辺部１３２ｃから連設され、折れ線Ｃ２２と平行な直線状を呈する辺部１３２ｄと、辺部１３２ｄから連設され、辺部１３２ｄに対して直角をなす直線状の辺部１３２ｅと、辺部１３２ｅから連設され、辺部１３２ｅから斜め左下方に向けて形成され、辺部１３２ｅに対して鈍角をなす直線状の辺部１３２ｆと、辺部１３２ｆから連設され、折れ線Ｃ２２と平行な直線状を呈する辺部１３２ｇと、辺部１３２ｇから連設され、辺部１３２ｇから斜め右下方に向けて形成された直線状の辺部１３２ｈと、辺部１３２ｈから連設され、辺部１３２ｈと鈍角をなすとともに辺部１３２ｅと平行をなす直線状の辺部１３２ｉと、辺部１３２ｉから連設され、辺部１３２ｄの延長線上に形成された直線状の辺部１３２ｊと、辺部１３２ｊから連設され、辺部１３２ｊに対して直角をなす直線状の辺部１３２ｋと、辺部１３２ｋから連設され、辺部１３２ｋに対して直角をなす直線状の辺部１３２ｌと、辺部１３２ｌから連設され辺部１３２ｌに対して直角をなし辺部１３２ａまで形成された直線状の辺部１３２ｍとを有している。辺部１３２ｆと辺部１３２ｈは、左右方向の中心線を介して線対称をなし、左側面側にいくに従い辺部１３２ｆと辺部１３２ｈ間の長さが長くなるようにテーパ状を呈している。左折曲げ片部本体１３２における辺部１３２ｄ（１３２ｊ）と折れ線Ｃ２２間の長さ）は、右折曲げ片部本体１２１の横方向の長さ（辺部１２０ｃ−１、１２０ｃ−３と折れ線Ｃ２１間の長さ）と同一（略同一としてもよい）に形成されている。この左折曲げ片部本体１３２には、フィルム１９０の左辺に沿った領域が接着される。また、包装状態の包装具１０１を水平な設置面に設置する際に、辺部１３２ｂが設置面に接する。辺部１３２ｂが辺部１３２ａとなす角度は、約８５度の鋭角となっているが、包装状態の包装具１０１が水平方向の設置面に自立可能な角度であればよく、該角度以外の鋭角でもよく、直角でもよい。
【０１３６】
また、連結部１３６は、左折曲げ片部本体１３２の中央部１１０とは反対側の辺部１３２ｇから折れ線Ｃ２６を介して連設され、略方形状（具体的には、略縦長長方形状）を呈している。
【０１３７】
すなわち、連結部１３６は、折れ線Ｃ２６に沿った辺部１３６ａと、辺部１３６ａの下端から連設され、辺部１３６ａに対して鋭角をなす直線状の辺部１３６ｂと、辺部１３６ｂから連設され、折れ線Ｃ２６の方向に対して直角をなす直線状の辺部１３６ｃと、辺部１３６ｃから連設され、折れ線Ｃ２６と平行な直線状の辺部１３６ｄと、辺部１３６ｄから連設され、辺部１３６ｄと直角をなす直線状の辺部１３６ｅと、辺部１３６ｅから連設されるとともに、辺部１３６ａから形成され、辺部１３６ａと鋭角をなす直線状の辺部１３６ｆとを有している。辺部１３６ｂと辺部１３６ｆは、左右方向の中心線を介して線対称をなし、右側面側にいくに従い辺部１３６ｂと辺部１３６ｆ間の長さが長くなるようにテーパ状を呈している。
【０１３８】
連結部１３６における辺部１３６ｃと辺部１３６ｅ間の長さは、被差込み部Ｋ１１６の上下方向の長さと略同一で、連結部１３６が被差込み部Ｋ１１６に挿通できるようになっている。また、辺部１３６ａの下端から上端までの長さは、被差込み部Ｋ１１６の上下方向の長さよりも若干長く形成され、辺部１３２ｆと辺部１３６ｂにより突起（第２突起）１３６−１が形成され、辺部１３２ｈと辺部１３６ｆにより突起（第２突起）１３６−２が形成され、これらの突起１３６−１、１３６−２が被差込み部Ｋ１１６に係止するようになっている。つまり、突起１３６−１、１３６−２は、左折曲げ片部本体１３２と連結部１３６の境界位置に設けられ、つまり、突起１３６−１、１３６−２は、突状部１３４の基端側の両側に設けられている。なお、辺部１３２ｅと辺部１３２ｆの代わりに、辺部１３２ｅを折れ線Ｃ２６の位置まで伸ばした構成とし、辺部１３２ｈと辺部１３２ｉの代わりに、辺部１３２ｉを折れ線Ｃ２６の位置まで伸ばした構成として、連結部１３６が、その基端位置に折れ線Ｃ２６の延長線上の辺部を上下それぞれに設けて、該延長線上の辺部（下側の辺部）と辺部１３６ｂにより突起を構成するとともに、該延長線上の辺部（上側の辺部）と辺部１３６ｆにより突起を構成して、これらの突起を連結部１３６の基端位置に設けてもよい。
【０１３９】
また、差込み片部１３８は、連結部１３６の左折曲げ片部本体１３２とは反対側の辺部から折れ線Ｃ２７を介して連設され、略台形形状を呈している。この差込み片部１３８の基端側（連結部３６側）の両側には、突起（第１突起）１３８ａ、１３８ｂが設けられ、突起１３８ａは、折れ線Ｃ２７の下端よりも下方に突出し、突起１３８ｂは、折れ線Ｃ２７の上端よりも上方に突出し、折れ線Ｃ２７の上下方向の長さは、被差込み部Ｋ１１６の上下方向の長さと同一に形成されているので、差込み片部１３８を被差込み部Ｋ１１６に差し込んだ際に、差込み片部１３８の突起１３８ａ、１３８ｂが被差込み部Ｋ１１６に係止するようになっている。
【０１４０】
なお、突状部１３４の基端から先端までの長さ（折れ線Ｃ２６から突状部１３４の先端までの左右方向の長さ）は、突状部１３４の基端まで被差込み部Ｋ１１６に差し込むことができるように、折れ線１２０ｃ−１、１２０ｃ−３と折れ線Ｃ２１間の長さよりも短く形成されている。
【０１４１】
また、下折返し片部１５０は、中央部１１０の下辺から折れ線Ｃ２３を介して連設され、下折返し片部１５０は、中央部１１０の下辺から折れ線Ｃ２３を介して連設された中構成部１５２と、中構成部１５２の右側面側の辺部から二重の折れ線（下右折れ線）Ｃ２８を介して連設された右構成部１５６と、中構成部１５２の左側面側の辺部から二重の折れ線（下左折れ線）Ｃ２９を介して連設された左構成部１６０とを有している。
【０１４２】
中構成部１５２は、全体に略長方形状（略横長長方形状）を呈し、折れ線Ｃ２３と一致する辺部１５２ａと、辺部１５２ａの右側面側の端部から連設された略円弧状の辺部１５２ｂと、辺部１５２ｂから連設され、辺部１５２ａに対して鈍角（具体的には、略１３５度）をなす直線状の辺部１５２ｃと、辺部１５２ｃから連設され、辺部１５２ａに対して直角をなす直線状の辺部１５２ｄと、１５２ｄから連設され、辺部１５２ａと平行な直線状の辺部１５２ｅと、辺部１５２ｅから連設され、辺部１５２ｅと直角をなす直線状の辺部１５２ｆと、辺部１５２ｆから連設され、辺部１５２ｆに対して鈍角具体的には、略１３５度）をなす直線状の辺部１５２ｇと、辺部１５２ｇから連設され、略円弧状をなし辺部１５２ａまで形成された辺部１５２ｈとを有している。
【０１４３】
また、中構成部５２の場合と同様に、中構成部１５２には、辺部１５２ｂ、１５２ｃを有していて、帯状部１５４の辺部（折れ線Ｃ２３の方向に対して傾斜した辺部）が折れ線Ｃ２３と折れ線Ｃ２１の角部から形成されていない構成であるので、右折曲げ片部本体１２１の折れ線Ｃ２１を介した折曲げ及び右構成部１５６の折れ線Ｃ２８を介した折曲げを容易にしている。
【０１４４】
また、同様に、中構成部１５２には、辺部１５２ｇ、１５２ｈを有していて、帯状部１５８の辺部（折れ線Ｃ２３の方向に対して傾斜した辺部）が折れ線Ｃ２３と折れ線Ｃ２２の角部から形成されていない構成であるので、左折曲げ片部１３０の折れ線Ｃ２２を介した折曲げ及び左構成部１６０の折れ線Ｃ２９を介した折曲げを容易にしている。
【０１４５】
なお、中構成部１５２には、辺部１５２ｅから下方にテーパ状に一対の折れ線Ｃ３４、Ｃ３５が設けられており、一対の折れ線Ｃ３４、Ｃ３５は、辺部１５２ｅ側から折れ線Ｃ２３側にいくに従い折れ線Ｃ３４と折れ線Ｃ３５間の横方向の長さが長くなるように辺部１５２ｅの方向に対して傾斜している。具体的には、折れ線Ｃ３４は、辺部１５２ｅとの接点Ｓ１から辺部１５２ｂと辺部１５２ｃとが接する位置まで形成され、折れ線Ｃ３５は、辺部１５２ｅとの接点Ｓ２から辺部１５２ｇと辺部１５２ｈとが接する位置まで形成され、接点Ｓ１は接点Ｓ２よりも右側面側に位置し、折れ線Ｃ３４と折れ線Ｃ３５は、上下方向の中心線を介して左右線対称に形成されている。これらの折れ線Ｃ３４、Ｃ３５が設けられていることにより、右折曲げ片部本体１２１と左折曲げ片部本体１３２を中央部１１０に対して正面側に回動させた際に、折れ線Ｃ３４、Ｃ３５が正面側から見て山折りとなり、辺部１５２ｅが正面側に湾曲して、辺部１５２ｅと中央部１１０間の隙間を広くすることができる。
【０１４６】
また、右構成部１５６は、略方形状を呈し、折れ線Ｃ２８に沿って形成された直線状の辺部１５６ａと、辺部１５６ａから連設され、辺部１５６ａと直角をなす直線状の辺部１５６ｂと、辺部１５６ｂから連設され、略円弧状をなす辺部１５６ｃと、辺部１５６ｃから連設され、辺部１５６ａと平行な直線状の辺部１５６ｄと、辺部１５６ｄから連設され、略円弧状をなす辺部１５６ｅと、辺部１５６ｅから連設され、辺部１５６ａに対して直角をなす直線状の辺部１５６ｆとを有している。
【０１４７】
なお、二重の折れ線Ｃ２８は、折れ線Ｃ２８−１と折れ線Ｃ２８−２から構成され、折れ線Ｃ２８−１と折れ線Ｃ２８−２は互いに平行に形成され、二重の折れ線Ｃ２８における中構成部１５２側の折れ線Ｃ２８−１は、辺部１５２ｄと一致するとともに、包装具本体１０５の展開状態において、折れ線Ｃ２１と同一直線上にあり、右構成部１５６側の折れ線Ｃ２８−２は、辺部１５６ａと一致している。折れ線Ｃ２８−１と折れ線Ｃ２８−２間には、帯状部１５４が形成されている。
【０１４８】
また、下折返し片部５０の展開状態において、中構成部１５２の辺部１５６ｆと、帯状部１５４における辺部１５２ｃと辺部１５６ｆ間の辺部は、同一直線上に形成されている。
【０１４９】
また、左構成部１６０は、略方形状を呈し、折れ線Ｃ２９に沿って形成された直線状の辺部１６０ａと、辺部１６０ａから連設され、辺部１６０ａと直角をなす直線状の辺部１６０ｂと、辺部１６０ｂから連設され、略円弧状をなす辺部１６０ｃと、辺部１６０ｃから連設され、辺部１６０ａと平行な直線状の辺部１６０ｄと、辺部１６０ｄから連設され、略円弧状をなす辺部１６０ｅと、辺部１６０ｅから連設され、辺部１６０ａに対して直角をなす直線状の辺部１６０ｆとを有している。この左構成部１６０は、上下方向の中心線を介して右構成部１５６と左右線対称に形成されている。
【０１５０】
なお、二重の折れ線Ｃ２９は、折れ線Ｃ２９−１と折れ線Ｃ２９−２から構成され、折れ線Ｃ２９−１と折れ線Ｃ２９−２は互いに平行に形成され、二重の折れ線Ｃ２９における中構成部１５２側の折れ線Ｃ２９−１は、辺部１５２ｆと一致するとともに、包装具本体１０５の展開状態において、折れ線Ｃ２２と同一直線上にあり、左構成部１６０側の折れ線Ｃ２９−２は、辺部１６０ａと一致している。折れ線Ｃ２９−１と折れ線Ｃ２９−２間には、帯状部１５８が形成されている。
【０１５１】
また、下折返し片部１５０において、辺部１５２ｅと、辺部１５６ｂと、辺部１６０ｂと、帯状部１５４における辺部１５２ｅと辺部１５６ｂ間の辺部と、帯状部１５８における辺部１５２ｅと辺部１６０ｂ間の辺部は、同一直線上に形成されている。
【０１５２】
下折返し片部１５０は、中央部１１０に対して正面側に折り返した状態で、右折曲げ片部本体１２１と左折曲げ片部本体１３２に接着され、具体的には、右構成部１５６（具体的には、右構成部１５６の右端側の領域）が右折曲げ片部本体１２１に接着され、左構成部１６０（具体的には、左構成部１６０の左端側の領域）が左折曲げ片部本体１３２に接着されている。つまり、右構成部１５６の接着領域は、右折曲げ片部本体１２１におけるフィルム１９０が重なる領域以外の領域に接着するように設けられ（つまり、フィルム１９０が重なる領域よりも右側面側の領域に接着する）、左構成部１６０の接着領域は、左折曲げ片部本体１３２におけるフィルム１９０が重なる領域以外の領域に接着するように設けられる（つまり、フィルム１９０が重なる領域よりも左側面側の領域に接着する）。具体的には、図１９における右構成部１５６及び左構成部１６０のハッチングに示す領域が接着領域となる。
【０１５３】
下折返し片部１５０は、上記のように形成されているので、下折返し片部１５０によりポケット状部１６２が形成され、特に、中構成部１５２がポケット状に形成されている。ポケット状部１６２は、本体部１０６の下端においてポケット状に形成されている。
【０１５４】
また、上折返し片部１７０は、中央部１１０と右折曲げ片部本体１２１と左折曲げ片部本体１３２の上辺から折れ線Ｃ２４、Ｃ３２、Ｃ３３を介して連設され、上折返し片部１７０は、中央部１１０の上辺から折れ線Ｃ２４を介して連設された中構成部１７２と、中構成部１７２の右側面側の辺部から二重の折れ線（上右折れ線）Ｃ３０を介して連設されるとともに、右折曲げ片部本体１２１から折れ線Ｃ３２を介して連設された右構成部１７６と、中構成部１７２の左側面側の辺部から二重の折れ線（上左折れ線）Ｃ３１を介して連設されるとともに、左折曲げ片部本体１３２から折れ線Ｃ３３を介して連設された左構成部１８０とを有している。上折返し片部１７０の構成は、上折返し片部７０と同様である。
【０１５５】
中構成部１７２は、全体に長方形状の突状部を連設した形状を呈し、長方形状の中構成部本体１７２−１と、中構成部本体１７２−１の下辺から突出した突状部（第２突状部）１７２−２とを有している。中構成部１７２の構成は、中構成部７２と同様であるので、詳しい説明を省略する。
【０１５６】
また、包装具本体１０５の展開状態において、突状部１７２−２と中央部１１０間には、切込みＫ１１０が形成されている。切込みＫ１１０の構成は、切込みＫ１０と同様であるので、詳しい説明を省略する。包装具本体１０５の展開状態において、突状部１７２−２と中央部１１０とは、この切込みＫ１１０を介して区画されている。
【０１５７】
なお、突状部１７２−２には、円形の開口部１７２Ｋが設けられ、この開口部１７２Ｋにより包装具１０１を吊り下げることができるようになっている。つまり、突状部１７２−２は、中構成部１７２を中央部１１０に対して折り返した状態で中央部１１０に対向しない領域（非対向領域）であり、この突状部１７２−２に開口部１７２Ｋを設けることにより包装具１０１を吊り下げできるようになっている。なお、開口部１７２Ｋは、突状部１７２−２に設けられているが、突状部１７２−２でなくてもよく、中構成部１７２を中央部１１０に対して折り返した際に、中央部１１０に対向しない領域である非対向領域１７２Ｗ（図１６参照）に設ければよい。
【０１５８】
また、右構成部１７６は、略台形形状を呈し、中構成部１７２との間の二重の折れ線Ｃ３０は、折れ線Ｃ３０−１と折れ線Ｃ３０−２から構成され、折れ線Ｃ３０−１と折れ線Ｃ３０−２は互いに平行に形成され、折れ線Ｃ３０−１は、折れ線Ｃ２１の延長線上にある（つまり、同一直線上に形成されている）。折れ線Ｃ３０−１と折れ線Ｃ３０−２間には、帯状部１７４が形成されている。また、右構成部１７６は、右折曲げ片部本体１２１から折れ線（第５折れ線）Ｃ３２を介して連設されている。右構成部１７６は、右構成部７６と同様の構成であるので、詳しい説明を省略するが、右構成部１７６の折れ線Ｃ３０−２側とは反対側の直線状の辺部（実施例１の辺部７６ｃに対応した辺部）は、折れ線Ｃ２５の延長線上に形成されている。
【０１５９】
また、左構成部１８０は、略台形形状を呈し、中構成部１７２との間の二重の折れ線Ｃ３１は、折れ線Ｃ３１−１と折れ線Ｃ３１−２から構成され、折れ線Ｃ３１−１と折れ線Ｃ３１−２は互いに平行に形成され、折れ線Ｃ３１−１は、折れ線Ｃ２２の延長線上にある（つまり、同一直線上に形成されている）。折れ線Ｃ３１−１と折れ線Ｃ３１−２間には、帯状部１７８が形成されている。また、左構成部１８０は、左折曲げ片部本体１３２から折れ線（第６折れ線）Ｃ３３を介して連設されている。左構成部１８０は、左構成部８０と同様の構成であるので、詳しい説明を省略する。
【０１６０】
なお、包装具本体１０５の展開状態において、折れ線Ｃ２４と、折れ線Ｃ３２と、折れ線Ｃ３３は同一直線上に形成されている。また、折れ線Ｃ２１と、折れ線Ｃ２８−１と、折れ線Ｃ３０−１は同一直線上に形成されている。また、折れ線Ｃ２と、折れ線Ｃ２９−１と、折れ線Ｃ３１−１は同一直線上に形成されている。
【０１６１】
包装具本体１０５は上記のように構成されており、包装具本体１０５の展開状態においては、延設部１２２と突状部１３４の領域が異なる点及び右折曲げ片部本体１２１の辺部１２０ｃ−２が異なる点を除き、上下方向の中心線を介して左右線対称に形成されているといえる。
【０１６２】
また、中央部１１０と右折曲げ片部本体１２１の境界位置の上端には、縦長四角形状の開口部Ｋ１１２が設けられている。つまり、開口部Ｋ１１２を構成する一対の上下方向の辺部（折れ線Ｃ２１の方向と同じ方向の辺部）は、折れ線Ｃ２１の延長線から等距離（略等距離としてもよい）の位置に形成され、開口部Ｋ１１２を構成する上辺は、折れ線Ｃ２４の延長線上に形成されている。開口部Ｋ１１２は、上折返し片部１７０を本体部１０６に対して正面側に折り返した状態で、右折曲げ片部本体１２１と右構成部１７６を背面側に折り曲げやすくするために設けられている。
【０１６３】
また、中央部１１０と左折曲げ片部本体１３２の境界位置の上端には、縦長四角形状の開口部Ｋ１１４が設けられている。つまり、開口部Ｋ１１４を構成する一対の上下方向の辺部（折れ線Ｃ２２の方向と同じ方向の辺部）は、折れ線Ｃ２２の延長線から等距離（略等距離としてもよい）の位置に形成され、開口部Ｋ１１４を構成する上辺は、折れ線Ｃ２４の延長線上に形成されている。開口部Ｋ１１４は、上折返し片部１７０を本体部１０６に対して正面側に折り返した状態で、左折曲げ片部１３０と左構成部１８０を背面側に折り曲げやすくするために設けられている。
【０１６４】
なお、包装具本体１０５において、各折れ線の位置には、折れ線に沿って折曲げ用の罫線が設けられ、該罫線は、包装具本体の裏側の面（フィルム９０を設ける側とは反対側の面）側から押圧した押罫により形成されている。
【０１６５】
つまり、折れ線Ｃ２８、Ｃ２９、Ｃ３０、Ｃ３１は、互いに平行な２本の折曲げ用の罫線よりなる二重罫線により形成されている。なお、折れ線Ｃ２８〜Ｃ３１は、互いに平行な２本の折れ線により形成されるとしたが、１本の折れ線により形成してもよい。つまり、折れ線Ｃ２８は、折れ線Ｃ２８−１のみにより構成し、折れ線Ｃ２９は、折れ線Ｃ２９−１のみにより構成し、折れ線Ｃ３０は、折れ線Ｃ３０−１のみにより構成し、折れ線Ｃ３１は、折れ線Ｃ３１−１のみにより構成してもよい。
【０１６６】
また、フィルム（シート状部材）１９０は、方形状（具体的には、横長長方形状）を呈し、引っ張りにより伸び変形する透明なシート状部材であり、直線状の辺部１９０ａ〜１９０ｄにより囲まれた形状を呈している。すなわち、長辺側の辺部１９０ａと１９０ｃは互いに平行であり、短辺側の辺部１９０ｂと辺部１９０ｄが互いに平行となっている。
【０１６７】
フィルム１９０の素材は、フィルム９０と同様である。すなわち、フィルム１９０は、透明なポリエチレンにより形成されているが、フィルム９０の場合と同様に、他の素材であってもよい。また、フィルム１９０は透明であるとしたが、被包装物をフィルム１９０を介して視認できるものであれば、透明でなくても半透明であってもよく、すなわち、透光性をするものであればよい。
【０１６８】
フィルム１９０は包装具本体１０５に接着されているが、具体的には、短辺側の辺部に沿った領域が包装具本体１０５に接着され、辺部１９０ｂに沿った領域（図１９のハッチングに示す領域）が右折曲げ片部本体１２１に接着され、辺部１９０ｄに沿った領域（図１９のハッチングに示す領域）が左折曲げ片部本体１３２に接着されている。これにより、フィルム１９０は、中央部１１０を跨いだ状態となっている。つまり、フィルム１９０の長手方向の長さ（辺部１９０ａ、１９０ｃの長さ）は、中央部１１０の左右方向の長さ（折れ線Ｃ２１と折れ線Ｃ２２間の長さ）よりも長く形成されている。
【０１６９】
また、フィルム１９０の短手方向の長さは、中央部１１０の上下方向の長さ（折れ線Ｃ２３と折れ線Ｃ２４間の長さ）よりも短く形成され、フィルム１９０の上辺は、折れ線Ｃ２４よりも下側にあり、フィルム１９０の下辺は、折れ線Ｃ２３よりも上側にあり、フィルム１９０の接着位置は、包装具１０１を包装状態（図２２〜図２５の状態）にした際に、下折返し片部１５０の中構成部１５２がフィルム１９０の下端領域に重なり、上折返し片部１７０の中構成部１７２がフィルム１９０の上端領域に重なるように形成されていて、具体的には、中構成部１５２の上下方向の長さＬ１５２（折れ線Ｃ２３（辺部１５２ａとしてもよい）と辺部１５２ｅ間の長さ）が、フィルム１９０の下辺（つまり、辺部１９０ａ）と折れ線Ｃ２３（辺部１５２ａとしてもよい）間の長さＬ１９０ａよりも長く形成され、中構成部本体１７２−１の上下方向の長さＬ１７２（折れ線Ｃ２４と辺部（中構成部本体１７２−１の上辺）１７２ｄ間の長さ）が、フィルム１９０の上辺（つまり、辺部１９０ｃ）と折れ線Ｃ２４間の長さＬ１９０ｃよりも長く形成されている。すなわち、フィルム１９０は、包装具本体１０５における図１９に示す位置に設けられている。
【０１７０】
包装具１０１の図１３〜図１５の状態、すなわち、フィルム１９０が包装具本体１０５に接着され、かつ、右構成部１５６が右折曲げ片部本体１２１に接着され、左構成部１６０が左折曲げ片部本体１３２に接着された状態では、フィルム１９０の下端領域は、下折返し片部１５０の内側に位置していて、包装具１０１を正面視した際には、フィルム１９０の下端領域は、下折返し片部１５０に隠れて見えない状態となっている。つまり、フィルム１９０の中央部１１０に重なる領域の下辺（辺部１９０ａにおいて中央部１１０と重なる部分）は、中構成部１５２の上辺（辺部１５２ｅ）の下側に位置する。
【０１７１】
なお、フィルム１９０の下端領域が下折返し片部１５０の内側に位置しているので、包装具１０１の製造に際しては、図１９に示すように、展開状態の包装具本体１０５に対して、フィルム１９０を接着し、その後に、右構成部１５６と右折曲げ片部本体１２１の接着と左構成部１６０と左折曲げ片部本体１３２の接着を行なう。右構成部１５６及び左構成部１６０の接着に際しては、それらの接着領域に接着剤を塗布した後、下折返し片部１５０を折れ線Ｃ２３を介して折り返して、右構成部１５６及び左構成部１６０を接着させる。
【０１７２】
上記構成の包装具１０１の使用方法について説明する。まず、被包装物Ｐをフィルム１９０と中央部１１０の間の位置に配置する（図２０参照）。すなわち、フィルム１９０の上方からフィルム１９０と中央部１１０間に隙間に被包装物Ｐを挿入して配置する。なお、被包装物Ｐを挿入する際には、フィルム１９０の上端と中央部１１０間の位置に被包装物Ｐの一部を挿入して、そのまま下方に押し込めばよいが、フィルム１９０と中央部１１０間の間隔が狭くて挿入しにくい場合には、右折曲げ片部１２０と左折曲げ片部１３０を中央部１１０に対して正面側に回動させることにより、フィルム１９０と中央部１１０間の隙間を大きくできるので、被包装物Ｐを挿入しやすくなる。なお、右折曲げ片部１２０と左折曲げ片部１３０を中央部１１０に対して正面側に折り曲げる際には、下折返し片部１５０の中構成部１５２（特に、中央領域１５２−１）が中央部１１０に対して正面側に回動して、中構成部１５２の上端と中央部１１０間の隙間が広くなるので、被包装物Ｐがフィルム１９０の下端領域に達しても、中構成部１５２が被包装物Ｐの挿入に支障になることはない。
【０１７３】
その後、上折返し片部１７０を本体部１０６に対して正面側に折り返した状態とする（図２１参照）。つまり、上折返し片部１７０を折れ線Ｃ２４、Ｃ３２、Ｃ３３を介して折り返した状態とする。すると、突状部１７２−２は、中構成部本体１７２−１よりも上方に突出した状態となり、また、中構成部本体１７２−２が、フィルム１９０の上端領域に被さった状態となる。つまり、中構成部本体１７２−２が、フィルム１９０の上端領域をカバーした状態となる。
【０１７４】
その後、折れ線Ｃ２１、Ｃ２８−１、Ｃ３０−１よりも右側面側の領域（つまり、右折曲げ片部１２０と、帯状部１５４及び右構成部１５６と、帯状部１７４及び右構成部１７６からなる領域である右側領域１０７−１）を背面側に折り曲げるとともに、折れ線Ｃ２２、Ｃ２９−１、Ｃ３１−１よりも左側面側の領域（つまり、左折曲げ片部１３０と、帯状部１５８及び左構成部１６０と、帯状部１７８及び左構成部１８０からなる領域である左側領域１０７−２）を背面側に折り曲げて、差込み片部１３８を被差込み部Ｋ１１６に差し込んで、突起１３８ａ、１３８ｂが被差込み部Ｋ１１６の両側の位置に係止して差込み片部１３８が右折曲げ片部１２０に係止した状態とすることにより、図２２〜図２４に示すように、包装具本体１０５全体を略筒状にして、包装具１０１を包装状態とする。
【０１７５】
つまり、折れ線Ｃ２１、Ｃ２８−１、Ｃ３０−１よりも右側面側の領域を折り曲げる際には、右折曲げ片部本体１２１を折れ線Ｃ２１を介して中央部１１０に対して折り曲げ、帯状部１５４及び右構成部１５６からなる領域を折れ線Ｃ２８−１を介して中構成部１５２に対して折り曲げ、帯状部１７４及び右構成部１７６からなる領域を折れ線Ｃ３０−１を介して中構成部１７２に対して折り曲げる。
【０１７６】
また、折れ線Ｃ２２、Ｃ２９−１、Ｃ３１−１よりも左側面側の領域を折り曲げる際には、左折曲げ片部１３０を折れ線Ｃ２２を介して中央部１１０に対して折り曲げ、帯状部１５８及び左構成部１６０からなる領域を折れ線Ｃ２９−１を介して中構成部１５２に対して折り曲げ、帯状部１７８及び左構成部１８０からなる領域を折れ線Ｃ３１−１を介して中構成部１７２に対して折り曲げる。
【０１７７】
すると、フィルム１９０が被包装物Ｐ及び中央部１１０に密着するので、被包装物Ｐを中央部１１０に密着させて被包装物Ｐを中央部１１０に固定させることができるとともに、長さＬ１５２が長さＬ１９０ａよりも長く、中構成部１５２がフィルム１９０の下端領域に重なって密着するので、フィルム１９０の下端と中央部１１０間の隙間が塞ぐことができ、長さＬ１７２がＬ１９０ｃよりも長く、中構成部１７２がフィルム１９０の上端領域に重なって密着するので、フィルム１９０の上端と中央部１１０間の隙間を塞ぐことができるので、包装具１０１の包装状態において、被包装物Ｐを外部から取り出すことができないようにすることができる。なお、フィルム１９０は透光性を有するので、フィルム９０を介して被包装物Ｐを視認することができる。
【０１７８】
包装状態の包装具１０１においては、包装具本体１０５が略筒状を呈し、中央部１１０の下辺と、右折曲げ片部本体１２１の辺部１２０ｂ（つまり、右折曲げ片部本体１２１の下辺）と、左折曲げ片部本体１３２の辺部１３２ｂ（つまり、左折曲げ片部本体１３２の下辺）と、延設部１２２の辺部１２２ｂ（つまり、延設部１２２の下辺）が設置面に接した状態で、該設置面に自立する。つまり、中央部１１０と右折曲げ片部１２０と左折曲げ片部１３０とからなる本体部１０６は、水平な設置面（水平方向の設置面）に中央部１１０の下辺を下側にして自立可能な略筒状を呈し、中央部１１０の下辺と、右折曲げ片部１２０の下辺と、左折曲げ片部１３０の下辺が該設置面に接した状態で、包装具本体１０５が、該設置面に自立する。なお、中央部１１０の下辺と、右折曲げ片部本体１２１の下辺と、左折曲げ片部本体１３２の下辺と、延設部１２２の下辺が設置面に接するとしたが、中央部１１０の下辺と、右折曲げ片部本体１２１の下辺と、左折曲げ片部本体１３２の下辺が設置面に接して、延設部１２２の下辺が設置面に接していなくてもよく、また、中央部１１０の下辺と、延設部１２２の下辺が設置面に接して、右折曲げ片部本体１２１の下辺と、左折曲げ片部本体１３２の下辺が設置面に接していなくてもよく、結果として、本体部１０６が、中央部の下辺を下側として水平な設置面に自立可能な略筒状を呈していればよい。
【０１７９】
なお、図２２〜図２４の状態では、図２３に示すように、左折曲げ片部本体１３２と延設部１２２間に隙間が設けられ、その意味では、本体部１０６は、略筒状であるといえるが、左折曲げ片部本体１３２と延設部１２２が接した構成とすることにより本体部１０６を筒状としてもよい。なお、突状部１３４が延設部１２２に重なっているので、その点では、本体部１０６は筒状であるともいえる。
【０１８０】
また、突状部１３４を切込みＫ１１６に対してさらに押し込むことにより、図２５に示すように、連結部１３６の基端に位置する突起１３６−１、１３６−２が被差込み部Ｋ１１６に係止して突状部１３４が被差込み部Ｋ１１６に係止した状態として、包装具１０１を図２２〜図２４の状態に比べて扁平な状態とすることができる。
【０１８１】
また、中構成部１７２の突状部１７２−２には開口部１７２Ｋが設けられているので、被包装物Ｐを収納した包装具１０１を吊り下げて陳列することができる。
【０１８２】
包装状態の包装具１０１から被包装物Ｐを取り出すには、突状部１３４を被差込み部Ｋ１１６から引き抜いて、突状部１３４（又は差込み片部１３８）の係止を解除して、本体部１０６を図２１のように展開した状態とした後に、上折返し片部１７０を折り曲げた状態を解除して図２０の状態にして、被包装物Ｐをフィルム１９０の上端と中央部１１０の隙間から取り出すようにする。なお、被包装物Ｐの取出しに際しては、右折曲げ片部１２０と左折曲げ片部１３０を中央部１１０に対して正面側に回動させることにより、フィルム１９０と中央部１１０間の隙間が広がって、被包装物Ｐを取り出しやすくすることができる。
【０１８３】
なお、本体部１０６の下端にポケット状部１６２が形成されているので、被包装物Ｐを収納したり取り出したりする際に、右折曲げ片部１２０と左折曲げ片部１３０を正面側に回動させて、フィルム１９０と中央部１１０間の隙間が広げて被包装物Ｐがフィルム１９０の下端から下方に落下しても、このポケット状部１６２で被包装物Ｐを受けることができ、被包装物Ｐが包装具１０１から脱落して落下することがない。
【０１８４】
上記のように、本実施例の包装具１０１においては、被包装物Ｐをフィルム１９０と中央部１１０間に収納して、上折返し片部１７０を折り返し、さらに、右側領域１０７−１と左側領域１０７−２を背面側に折り曲げて、差込み片部１３８（又は突状部１３４）を係止状態にすることにより、被包装物Ｐを包装できるので、加熱装置等の包装のための他の装置が必要ない。
【０１８５】
また、フィルム１９０と中央部１１０間の隙間に挿入することができる形状・大きさの被包装物であれば、包装することができるので、多様な形状・大きさの被包装物に対応することができる。
【０１８６】
また、包装具１０１の包装状態において、中構成部１５２がフィルム１９０の下端領域に密着し、中構成部１７２がフィルム１９０の上端領域に密着するので、包装具本体１０５を縦向きとしても被包装物が脱落することがなく、外部から被包装物を取り出すことができないため防犯上も優れている。
【０１８７】
また、フィルム１９０は、中央部１１０を跨ぐことができる大きさを有していればよいので、フィルム１９０の面積を小さく抑えることができ、特に、プラスチック成形品を使用した包装具と比べて、樹脂使用量を少なくして、環境に優れた包装具を提供することができる。
【０１８８】
また、フィルム１９０は、伸び変形する素材により形成されているので、フィルム１９０を介して被包装物の形状や硬さを確認することができるので、プラスチック成形品を使用した包装具と比べて、効果的な展示をすることができる。
【実施例３】
【０１８９】
次に、実施例３の包装具２０１は、実施例２の包装具１０１と略同様の構成であるが、中央部１１０に切込みによる折曲げ片１１２、１１４、１１６が設けられ、これらの折曲げ片により被包装物Ｐを位置決めすることができる点が異なる。
【０１９０】
すなわち、図２６〜図２８に示すように、中央部１１０には、切込みＭ１１０と、切込みＭ１２０が形成されている。切込みＭ１１０は、上下方向（折れ線Ｃ２１、Ｃ２２に平行な方向）に形成された直線状の切込みＭ１１１と、切込みＭ１１１の上端から右斜め上方に形成された略直線状の切込みＭ１１２と、切込みＭ１１１の下端から右斜め下方に形成された略直線状の切込みＭ１１３と、切込みＭ１１１の上端から左斜め上方に形成された略直線状の切込みＭ１１４と、切込みＭ１１１の下端から左斜め下方に形成された略直線状の切込みＭ１１５とを有し、切込みＭ１１０は、上下方向の中心線を介して左右線対称に形成されるとともに、左右方向の中心線を介して上下線対称に形成されている。
【０１９１】
折曲げ片１１２は、切込みＭ１１１と切込みＭ１１２と切込みＭ１１３と折れ線Ｃ４０により囲まれたものであり、折れ線Ｃ４０は、切込みＭ１１２の切込みＭ１１１とは反対側の端部と切込みＭ１１３の切込みＭ１１１とは反対側の端部を結び、切込みＭ１１１と平行に形成されている。
【０１９２】
折曲げ片１１４は、切込みＭ１１１と切込みＭ１１４と切込みＭ１１５と折れ線Ｃ４１により囲まれたものであり、折れ線Ｃ４１は、切込みＭ１１４の切込みＭ１１１とは反対側の端部と切込みＭ１１５の切込みＭ１１１とは反対側の端部を結び、切込みＭ１１１と平行に形成されている。折れ線Ｃ４１と折れ線Ｃ４０は互いに平行である。つまり、折曲げ片１１２、１１４は、上下方向の折れ線（折れ線Ｃ４０、Ｃ４１）を介して中央部本体１１１に対して折曲する。なお、中央部本体１１１は、中央部１１０において、折曲げ片１１２〜１１６以外の領域である。
【０１９３】
折曲げ片１１２、１１４は、包装具２０１の包装状態（図３０、図３１の状態）で、中構成部１７２に被覆されない位置に設けられ、折れ線Ｃ２４と折曲げ片１１２、１１４間の上下方向の長さＬ１１２は、中構成部本体１７２−１の上下方向の長さＬ１７２よりも長く形成されている。これにより、包装具２０１の包装状態で、折曲げ片１１２、１１４が中央部本体１１１に対して立ち上がった状態になるのに、中構成部１７２が支障となることはない。
【０１９４】
また、切込みＭ１２０は半円形状を呈し、折曲げ片１１６は、切込みＭ１２０と、切込みＭ１２０の両側の端部間に設けられた折れ線Ｃ４２により囲まれたものであり、折れ線Ｃ４２は、折れ線Ｃ２３と平行に形成されている。つまり、折曲げ片１１６は、左右方向の折れ線（折れ線Ｃ４２）を介して中央部本体１１１に対して折曲する。
【０１９５】
折曲げ片１１６は、中構成部１５２に被覆されない位置に設けられ、折れ線Ｃ２３と折曲げ片１１６間の上下方向の長さＬ１１６は、中構成部１５２の上下方向の長さＬ１５２よりも長く形成されている。これにより、折曲げ片１１６が中央部本体１１１に対して立ち上がった状態となるのに、中構成部１５２が支障となることはない。
【０１９６】
中央部１１０における折曲げ片１１２、１１４、１１６以外の領域を中央部本体１１１とする。
【０１９７】
折曲げ片１１２を折れ線Ｃ４０を介して中央部本体１１１に対して正面側に折り曲げ、折曲げ片１１４を折れ線Ｃ４１を介して中央部本体１１１に対して正面側に折り曲げることにより、折曲げ片１１２と折曲げ片１１４は、互いに間隔を介して中央部本体１１１に対して立ち上がった状態となる。
【０１９８】
また、折曲げ片１１６を折れ線Ｃ４２を介して中央部本体１１１に対して正面側に折り曲げることにより、折曲げ片１１６が中央部本体１１１に対して立ち上がった状態となる。
【０１９９】
折曲げ片１１２、１１４、１１６により囲まれた領域に被包装物Ｐを配置することにより、被包装物Ｐを位置決めして、フィルム１９０と中央部１１０の間で移動を規制することができる。
【０２００】
フィルム１９０は、包装具本体１０５における図２８に示す位置に設けられ、実施例２の包装具１０１と同様の位置に設けられ、図２８のハッチングに示す領域が包装具本体１０５に接着されている。折曲げ片１１２、１１４、１１６は、中央部１１０におけるフィルム１９０にカバーされた領域に設けられている。
【０２０１】
包装具２０１における上記以外の点は、包装具１０１と同様であるので、詳しい説明を省略する。
【０２０２】
なお、実施例２の包装具１０１と同様に、フィルム１９０の下端領域が下折返し片部１５０の内側に位置しているので、包装具２０１の製造に際しては、図２８に示すように、展開状態の包装具本体１０５に対して、フィルム１９０を接着し、その後に、右構成部１５６と右折曲げ片部本体１２１の接着と左構成部１６０と左折曲げ片部本体１３２の接着を行なう。
【０２０３】
上記構成の包装具２０１の使用方法は、包装具１０１と略同様であるが、被包装物Ｐをフィルム１９０と中央部１１０間の隙間に配置する際に、折り曲げられた折曲げ片１１２、１１４、１１６で囲まれた空間内に配置する。
【０２０４】
すなわち、被包装物をフィルム１９０と中央部１１０間の隙間に配置する前に、折曲げ片１１２、１１４、１１６を予め折り曲げた状態とする。つまり、中央部１１０のフィルム１９０側とは反対側から折曲げ片１１２、１１４、１１６をフィルム１９０側に押し込んで、折曲げ片１１２、１１４、１１６を中央部本体１１１に対して折曲した状態とし、折曲げ片１１２、１１４、１１６が折曲した状態で、被包装物Ｐをフィルム１９０と中央部１１０間の空間内で、折曲げ片１１２と折曲げ片１１４間の位置に挿入し、被包装物Ｐが折曲げ片１１６に接するまで挿入して、折曲げ片１１２〜１１６に接して折曲げ片１１２〜１１６に囲まれた状態とする（図２９参照）。このように、折曲げ片１１２〜１１６により被包装物Ｐをフィルム１９０と中央部１１０間の空間内で位置決めすることができる。
【０２０５】
なお、被包装物Ｐを折曲げ片１１２と折曲げ片１１４間の位置に挿入する際に、フィルム１９０と中央部１１０間の間隔が狭くて挿入しにくい場合には、包装具１０１の場合と同様に、右折曲げ片部１２０と左折曲げ片部１３０を中央部１１０に対して正面側に回動させることにより、フィルム１９０と中央部１１０間の隙間を大きくできるので、被包装物Ｐを挿入しやすくなる。
【０２０６】
以上のように、被包装物Ｐをフィルム１９０と中央部１１０の間に配置する際に、折曲げ片１１２〜１１６を中央部本体１１１に対してフィルム１９０側に折り曲げた状態とする。
【０２０７】
その後は、包装具１０１の場合と同様に操作を行なう。すなわち、上折返し片部１７０を本体部１０６に対して正面側に折り返した状態とし（これにより、突状部１７２−２は、中構成部本体１７２−１よりも上方に突出した状態となり、また、中構成部本体１７２−２が、フィルム１９０の上端領域に被さった状態となる）、その後、折れ線Ｃ２１、Ｃ２８−１、Ｃ３０−１よりも右側面側の領域（つまり、右折曲げ片部１２０と、帯状部１５４及び右構成部１５６と、帯状部１７４及び右構成部１７６からなる領域である右側領域１０７−１）を背面側に折り曲げるとともに、折れ線Ｃ２２、Ｃ２９−１、Ｃ３１−１よりも左側面側の領域（つまり、左折曲げ片部１３０と、帯状部１５８及び左構成部１６０と、帯状部１７８及び左構成部１８０からなる領域である左側領域１０７−２）を背面側に折り曲げて、差込み片部１３８を被差込み部Ｋ１１６に差し込んで、突起１３８ａ、１３８ｂが被差込み部Ｋ１１６の両側の位置に係止して差込み片部１３８が右折曲げ片部１２０に係止した状態とすることにより、図３０、図３１に示すように、包装具本体１０５全体を略筒状にして、包装具２０１を包装状態とする。包装状態の包装具２０１は、包装具１０１と同様に自立することができる。
【０２０８】
すると、フィルム１９０が被包装物Ｐ及び中央部１１０に密着するので、被包装物Ｐを中央部１１０に密着させることができるとともに、中構成部１５２がフィルム１９０の下端領域に密着するので、フィルム１９０の下端と中央部１１０間の隙間が塞ぐことができ、中構成部１７２がフィルム１９０の上端領域に密着するので、フィルム１９０の上端と中央部１１０間の隙間を塞ぐことができるので、包装具２０１の包装状態において、被包装物Ｐを外部から取り出すことができないようにすることができる。
【０２０９】
また、包装具１０１の場合と同様に、突状部１３４を被差込み部Ｋ１１６に対してさらに押し込むことにより、連結部１３６の基端に位置する突起１３６−１、１３６−２が被差込み部Ｋ１１６に係止して突状部１３４が被差込み部Ｋ１１６に係止した状態として、包装具２０１を扁平な状態とすることができる。
【０２１０】
また、中構成部１７２の突状部１７２−２には開口部１７２Ｋが設けられているので、被包装物Ｐを収納した包装具２０１を吊り下げて陳列することができる。
【０２１１】
包装状態の包装具２０１から被包装物Ｐを取り出す方法は、包装具１０１の場合と同様であり、突状部１３４を被差込み部Ｋ１１６から引き抜いて、突状部１３４（又は差込み片部１３８）の係止を解除して、本体部１０６を展開した状態とした後に、上折返し片部１７０を折り曲げた状態を解除して被包装物Ｐをフィルム１９０の上端と中央部１１０の隙間から取り出すようにする。なお、被包装物Ｐの取出しに際しては、右折曲げ片部１２０と左折曲げ片部１３０を中央部１１０に対して正面側に回動させることにより、フィルム１９０と中央部１１０間の隙間が広がって、被包装物Ｐを取り出しやすくすることができる。
【０２１２】
なお、折曲げ片１１６が立ち上がった状態では、折曲げ片１１２、１１４間の被包装物Ｐは、折曲げ片１１６よりも下方へは移動できず、さらには、本体部１０６の下端にポケット状部１６２が形成されているので、被包装物Ｐを収納したり取り出したりする際に、右折曲げ片部１２０と左折曲げ片部１３０を正面側に回動させて、フィルム１９０と中央部１１０間の隙間が広がっても、被包装物Ｐが包装具２０１から脱落して落下することがない。
【０２１３】
上記のように、本実施例の包装具２０１においては、被包装物Ｐをフィルム１９０と中央部１１０間に収納して、上折返し片部１７０を折り返し、さらに、右側領域１０７−１と左側領域１０７−２を背面側に折り曲げて、差込み片部１３８（又は突状部１３４）を係止状態にすることにより、被包装物Ｐを包装できるので、加熱装置等の包装のための他の装置が必要ない。
【０２１４】
また、折曲げ片１１２〜１１６が設けられているので、被包装物Ｐをフィルム１９０と中央部１１０間の空間内で位置決めすることができる。また、折曲げ片１１２〜１１６に接する形状・大きさの被包装物であれば、複数の形状・大きさの被包装物に対応することができる。
【０２１５】
なお、図２６〜図２８の包装具２０１においては、上下方向の折れ線を介して折曲する一対の折曲げ片１１２、１１４と、左右方向の折れ線を介して折曲する１つの折曲げ片１１６が設けられているとしたが、例えば、上下方向の折れ線を介して折曲する折曲げ片を左右方向に３つ以上配設して、被包装物の左右方向の寸法に合わせて２つの折曲げ片を折り曲げるようにしてもよく、また、左右方向の折れ線を介して折曲する折曲げ片を上下方向に２つ以上配設して、被包装物の上下方向の寸法に合わせて適切な折曲げ片を折り曲げるようにすれば、多様な形状・大きさの被包装物に対応することができる。
【０２１６】
また、上下方向の折れ線を介して折曲する折曲げ片（図の例では、折曲げ片１１２、１１４）のみを立ち上げることにより、左右方向には被包装物を位置決めできるとともに、上下方向には多様な長さの被包装物に対応でき、また、左右方向の折れ線を介して折曲する折曲げ片（図の例では、折曲げ片１１６）のみを立ち上げることにより、上下方向には被包装物を位置決めできるとともに、左右方向には多様な長さの被包装物に対応することができる。
【０２１７】
また、上下方向の折れ線を介して折曲する折曲げ片（図の例では、折曲げ片１１２、１１４）のみを設けて、左右方向のみ被包装物を位置決めできて、上下方向には多様な長さの被包装物に対応できるようにしてもよく、また、左右方向の折れ線を介して折曲する折曲げ片のみを設けて、上下方向にのみ被包装物を位置決めできて、左右方向には多様な長さの被包装物に対応することができるようにしてもよい。
【０２１８】
また、さらに多様な形状・大きさの被包装物に対応する場合には、中央部１１０に設けられた折曲げ片を折り曲げることなく（つまり、折曲げ片を立ち上げない状態で）、被包装物を収納する方法も考えられる。つまり、折曲げ片を立ち上げた状態で折曲げ片で囲まれた空間に適合した被包装物については、折曲げ片を立ち上げて使用し、該空間に適合しない被包装物については、折曲げ片を折り曲げない状態で使用すればよい。
【０２１９】
また、包装具２０１の包装状態において、中構成部１５２がフィルム１９０の下端領域に密着し、中構成部１７２がフィルム１９０の上端領域に密着するので、包装具本体１０５を縦向きとしても被包装物が脱落することがなく、外部から被包装物を取り出すことができないため防犯上も優れている。
【０２２０】
また、フィルム１９０は、中央部１１０を跨ぐことができる大きさを有していればよいので、フィルム１９０の面積を小さく抑えることができ、特に、プラスチック成形品を使用した包装具と比べて、樹脂使用量を少なくして、環境に優れた包装具を提供することができる。
【０２２１】
また、フィルム１９０は、伸び変形する素材により形成されているので、フィルム１９０を介して被包装物の形状や硬さを確認することができるので、プラスチック成形品を使用した包装具と比べて、効果的な展示をすることができる。
【０２２２】
なお、実施例３においては、実施例２の包装具１０１に折曲げ片１１２〜１１６を設けたものであるが、実施例１の包装具１に折曲げ片１１２〜１１６を設けてもよい。
【０２２３】
なお、上記実施例１〜実施例３の包装具においては、フィルム９０（１９０）は、右側面側の辺部に沿った領域と、左側面側の辺部に沿った領域が包装具本体５（１０５）に接着されているとしたが、フィルム９０（１９０）の右側面側の辺部に沿った領域と左側面側の辺部に沿った領域と下辺に沿った領域（つまり、三方の領域が包装具本体５（１０５）に接着された構成としてもよい。
【０２２４】
すなわち、実施例１の包装具１においては、辺部９０ｂ、９０ｄに沿った領域のみならず、辺部９０ａに沿った領域を包装具本体５に接着させてもよい。その場合には、辺部９０ａに沿った接着領域は、辺部９０ａの右側面側の端部から左側面側の端部までの領域としてもよいし、辺部９０ａにおける中央部１０に重なった部分に沿った領域のみとしてもよい。
【０２２５】
同様に、実施例２の包装具１０１、実施例３の包装具２０１においては、辺部１９０ｂ、１９０ｄに沿った領域のみならず、辺部１９０ａに沿った領域を包装具本体５に接着させてもよい。その場合には、辺部１９０ａに沿った接着領域は、辺部９０ａの右側面側の端部から左側面側の端部までの辺部１９０ａの全体にわたった領域としてもよいし、辺部１９０ａにおける中央部１１０に重なった部分に沿った領域のみとしてもよい。
【０２２６】
このようにフィルム９０（１９０）の下辺に沿った領域を包装具本体５（１０５）に接着させる構成は、ポケット状部６２、１６２が設けられているので、フィルム９０（１９０）と中央部１０（１１０）間の隙間から被包装物が包装具の外部に脱落するのを防止する目的としては、特に必要ないといえるが、被包装物をフィルム９０（１９０）の内側に挿入した際に、フィルム９０（１９０）の下端から被包装物がはみ出るのを防止する点では効果があるといえる。
【０２２７】
また、上記実施例１〜実施例３の包装具においては、左折曲げ片部３０（１３０）に差込み片部３８（１３８）を備えた突状部３４（１３４）が設けられ、右折曲げ片部２０（１２０）に被差込み部Ｋ１６（Ｋ１１６）が設けられているとしたが、包装具本体５（１０５）を上下方向の中心線を介して左右線対称の構成として、右折曲げ片部２０（１２０）が差込み片部を備えた突状部を有する構成とし、左折曲げ片部３０（１３０）が被差込み部を有する構成としてもよい。
【０２２８】
つまり、実施例１においては、図３２の包装具１’に示すように、包装具本体５は、中央部１０と、左折曲げ片部２０’と、右折曲げ片部（特定折曲げ片部）３０’と、左下折返し片部４０’と、右下折返し片部４２’と、中下折返し片部５０と、上折返し片部７０とを有している。右折曲げ片部３０’は、右折曲げ片部本体（折曲げ片部本体）３２’と、突状部３４’とを有し、突状部３４’は、連結部３６’と、差込み片部３８’とを有している。また、中下折返し片部５０は、中構成部５２と、左構成部５６’と、右構成部６０’と、帯状部５４’、５８’を有し、上折返し片部７０は、中構成部７２と、左構成部７６’と、右構成部８０’と、帯状部７４’、７８’とを有している。
【０２２９】
図３２の包装具１’は以上のように構成されているので、右折曲げ片部３０’は、中央部１０から折れ線（第１折れ線）Ｃ１を介して連設された右折曲げ片部本体（折曲げ片部本体）３２’（つまり、左折曲げ片部本体３２と左右対称な右折曲げ片部本体）と、該右折曲げ片部本体３２’の中央部１０とは反対側に連設された突状部３４’（つまり、突状部３４と左右対称な突状部）とを有し、傾斜辺は、該右折曲げ片部本体３２’に設けられ、右下折返し片部４２’（左下折返し片部４２と左右対称な構成の右下折返し片部）と右構成部（第２右構成部）８０’（左構成部８０と左右対称な構成の第２右構成部）は、該右折曲げ片部本体３２’から連設され、差込み片部３８’（差込み部３８と左右対称の構成の差込み片部）は、該突状部３４’の該右折曲げ片部本体３２’とは反対側の先端に設けられている。
【０２３０】
また、実施例２においては、図３３の包装具１０１’に示すように、包装具本体５は、中央部１１０と、左折曲げ片部１２０’と、右折曲げ片部（特定折曲げ片部）１３０’と、下折返し片部１５０と、上折返し片部１７０とを有している。右折曲げ片部１３０’は、右折曲げ片部本体（折曲げ片部本体）１３２’と、突状部１３４’とを有し、突状部１３４’は、連結部１３６’と、差込み片部１３８’とを有している。また、左折曲げ片部１２０’は、左折曲げ片部本体１２１’と、延設部１２２’とを有している。また、下折返し片部１５０は、中構成部１５２と、左構成部１５６’と、右構成部１６０’と、帯状部１５４’、１５８’を有し、上折返し片部１７０は、中構成部１７２と、左構成部１７６’と、右構成部１８０’と、帯状部１７４’、１７８’とを有している。
【０２３１】
図３３の包装具１０１’は以上のように構成されているので、右折曲げ片部１３０’は、中央部１１０から折れ線（第１折れ線）Ｃ２１を介して連設された右折曲げ片部本体（折曲げ片部本体）１３２’（つまり、左折曲げ片部本体１３２と左右対称な右折曲げ片部本体）と、該右折曲げ片部本体１３２’の中央部１１０とは反対側に連設された突状部１３４’（つまり、突状部１３４と左右対称な突状部）とを有し、差込み片部１３８’は、該突状部１３４’の右折曲げ片部本体１３２’とは反対側の先端に設けられている。さらに、実施例２においては、左折曲げ片部１２０’は、中央部１１０から折れ線（第２折れ線）Ｃ２２を介して連設されるとともに、左構成部１７６’（右構成部１７６と左右対称な構成の左構成部）から折れ線（第６折れ線）を介して連設された左折曲げ片部本体１２１’（右折曲げ片部本体１２１と左右対称な構成の左折曲げ片部本体）と、該左折曲げ片部本体１２１’から折れ線（第７折れ線）Ｃ２５を介して連設された延設部１２２’（延設部１２２と左右対称な構成の延設部）を有し、被差込み部Ｋ１１６は、該左折曲げ片部本体１２１’と該延設部１２２’の境界に沿って設けられ、右折曲げ片部１３０’は、中央部１１０から折れ線Ｃ２１を介して連設された右折曲げ片部本体１３２’（左折曲げ片部本体１３２と左右対称な構成の右折曲げ片部）と、該右折曲げ片部本体１３２’の中央部とは反対側に折れ線（第８折れ線）Ｃ２６を介して連設された突状部１３４’（突状部１３４と左右対称な構成の突状部）とを有し、差込み片部１３８’は、該突状部１３４の右折曲げ片部本体１３２’とは反対側の先端に設けられ、差込み片部１３８’は、該突状部１３４’における該差込み片部１３８’以外の領域である連結部１３６’から折れ線（第１３折れ線）Ｃ２７を介して連設されており、差込み片部１３８’を被差込み部Ｋ１１６に差し込んだ状態で、延設部１２２’が左折曲げ片部本体１２１’に対して折れ曲がるとともに、連結部１３６’が右折曲げ片部本体１３２’対して折れ曲がり、差込み片部１３８’が連結部１３６’に対して折れ曲がり、連結部１３６’と延設部１２２７が重なることにより、延設部１２２’と中央部１１０間が間隔を有する状態となって、被包装物が包装された状態では、包装具が略筒状になる。
【０２３２】
なお、実施例３の構成を左右対称した構成は、図３３の包装具１０１’において、中央部１１０に切込みによる折曲げ片１１２、１１４、１１６が設けられたものである。
【０２３３】
また、上記の説明において、中構成部７２（１７２）の突状部（７２−２、１７２−２）には、開口部７２Ｋ（１７２Ｋ）が設けられているとしたが、開口部の代わりに、包装具を吊下げ可能な切欠部としてもよい。すなわち、中構成部７２を例に取ると、図３４に示すように、中構成部７２の側辺（切込みＫ１０ａ又は切込みＫ１０ｅに沿った辺部）から鉤状に形成された切欠部７２Ｋ’（該側辺から横方向に形成された第１切欠部と該第１切欠部の奥側の端部から上方に形成された第２切欠部からなる切欠部）を形成することにより吊下げ可能としてもよい。実施例２、実施例３の中構成部１７２においても、開口部１７２Ｋの代わりに、切欠部７２Ｋ’と同様の切欠部を設けてもよい。
【０２３４】
また、フィルム９０、１９０は、伸び変形するフィルム状のシート状部材としたが、伸び変形するシート状部材であれば、フィルム状でなくてもよく、例えば、メッシュ状のシート状部材であってもよく、また、合成樹脂製でなくても、例えば、伸び変形し、透光性を有するシート状の不織布であってもよい。
【符号の説明】
【０２３５】
１、１０１、２０１、１’、１０１’  包装具
５、１０５  包装具本体
６、１０６  本体部
１０、１１０  中央部
２０、１２０、３０’、１３０’  右折曲げ片部
３０、１３０、２０’、１２０’  左折曲げ片部
３２、１３２、１２１’  左折曲げ片部本体
３４、１３４、３４’、１３４’  突状部
３６、１３６、３６’、１３６’  連結部
３８、１３８、３８’、１３８’  差込み片部
４０、４２’  右下折返し片部
４２、４０７  左下折返し片部
５０  中下折返し片部
５２、７２、１５２、１７２  中構成部
５４、５８、７４、７８、１５４、１５８、１７４、１７８、５４’、５８’、７４’、７８’  帯状部
５６、７６、１５６、１７６、６０’、８０’、１６０’、１８０’  右構成部
６０、８０、１６０、１８０、５６’、７６’、１５６’、１７６’  左構成部
７２Ｋ、１７２Ｋ、Ｋ１２、Ｋ１４、Ｋ１１２、Ｋ１１４  開口部
７２Ｋ’  切欠部
９０、１９０  フィルム
１２１  右折曲げ片部本体
１２２、１２２’  延設部
１１２、１１４、１１６  折曲げ片
Ｋ１０、Ｋ１１０、Ｍ１１０、Ｍ１１１、Ｍ１１２、Ｍ１１３、Ｍ１１４、Ｍ１１５、Ｍ１２０  切込み
Ｋ１６、Ｋ１１６  被差込み部
Ｐ  被包装物
【図１】
2020109013.tif 000003
【図２】
2020109013.tif 000004
【図３】
2020109013.tif 000005
【図４】
2020109013.tif 000006
【図５】
2020109013.tif 000007
【図６】
2020109013.tif 000008
【図７】
2020109013.tif 000009
【図８】
2020109013.tif 000010
【図９】
2020109013.tif 000011
【図１０】
2020109013.tif 000012
【図１１】
2020109013.tif 000013
【図１２】
2020109013.tif 000014
【図１３】
2020109013.tif 000015
【図１４】
2020109013.tif 000016
【図１５】
2020109013.tif 000017
【図１６】
2020109013.tif 000018
【図１７】
2020109013.tif 000019
【図１８】
2020109013.tif 000020
【図１９】
2020109013.tif 000021
【図２０】
2020109013.tif 000022
【図２１】
2020109013.tif 000023
【図２２】
2020109013.tif 000024
【図２３】
2020109013.tif 000025
【図２４】
2020109013.tif 000026
【図２５】
2020109013.tif 000027
【図２６】
2020109013.tif 000028
【図２７】
2020109013.tif 000029
【図２８】
2020109013.tif 000030
【図２９】
2020109013.tif 000031
【図３０】
2020109013.tif 000032
【図３１】
2020109013.tif 000033
【図３２】
2020109013.tif 000034
【図３３】
2020109013.tif 000035
【図３４】
2020109013.tif 000036